(57)【要約】【課題】諸収差の良好な補正と光学系の小型化とが両立されたズームレンズ及びそれを有する撮像装置を提供すること。【解決手段】物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は広角端よりも望遠端で短く、開口絞りは、第１レンズ群の像側面よりも像側で、且つ第２レンズ群の像側面よりも物体側に配置され、以下の条件式（１）、（２）、（３）を満足することを特徴とするズームレンズである。  ０．８３＜ＩＨMAX／ｆw＜１．２        （１）  −２０．０％＜ＤＴw＜−６．０％      （２）  ０．３５＜｜ｆ3／ＥＲS｜＜１．０５   （３）【選択図】図１
2015004880.tif 000002
【特許請求の範囲】
【請求項１】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
前記開口絞りは、前記第１レンズ群の像側面よりも像側で、且つ前記第２レンズ群の像側面よりも物体側に配置され、
以下の条件式（１）、（２）、（３）を満足することを特徴とするズームレンズ。
０．８３＜ＩＨMAX／ｆw＜１．２      （１）
−２０．０％＜ＤＴw＜−６．０％      （２）
０．３５＜｜ｆ3／ＥＲS｜＜１．０５  （３）
ただし、
ＩＨMAXは、最大像高であり、変倍に伴って前記最大像高が変化する場合はその最大値、
ｆwは、広角端での無限遠物点合焦時における前記ズームレンズ全系の焦点距離、
ＤＴw＝｛ＩＨw−ｆw×ｔａｎ（ωw）｝／｛ｆw×ｔａｎ（ωw）｝×１００（％）
ｆwは、広角端での無限遠物点合焦時における前記ズームレンズ全系の焦点距離、
ＩＨwは、広角端での無限遠物点合焦時における最大像高、
ωwは、広角端での無限遠物点合焦時における半画角、
ｆ3は、前記第３レンズ群の焦点距離、
ＥＲSは、前記開口絞りの開口部の最大半径、
である。
【請求項２】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
前記第１レンズ群の像側面よりも像側で、且つ前記第２レンズ群の像側面よりも物体側に配置された開口絞りを有し、
前記第１レンズ群は、物体側から像側に順に、物体側サブレンズ群と、像側サブレンズ群と、からなり、
前記第１レンズ群の前記物体側サブレンズ群は、第１負レンズからなり、
前記第１レンズ群の前記像側サブレンズ群は、第２負レンズと第１正レンズを含み、
以下の条件式（１）、（２）を満足することを特徴とするズームレンズ。
０．８３＜ＩＨMAX／ｆw＜１．２        （１）
−２０．０％＜ＤＴw＜−６．０％        （２）
ただし、
ＩＨMAXは、最大像高であり、変倍に伴って前記最大像高が変化する場合はその最大値、
ｆwは、広角端での無限遠物点合焦時における前記ズームレンズ全系の焦点距離、
ＤＴw＝｛ＩＨw−ｆw×ｔａｎ（ωw）｝／｛ｆw×ｔａｎ（ωw）｝×１００（％）
ＩＨwは、広角端での無限遠物点合焦時における最大像高、
ωwは、広角端での無限遠物点合焦時における半画角、
である。
【請求項３】
物体側から像側に順に、
負屈折力の第１レンズ群と、正屈折力の第２レンズ群と、負屈折力の第３レンズ群と、を有し、
さらに、前記第３レンズ群の像側に配置された正屈折力の第４レンズ群を有し、
変倍の際に、前記各レンズ群の間の距離は各々変化し、
前記第１レンズ群と前記第２レンズ群との間の距離は、広角端よりも望遠端で短く、
前記第３レンズ群と前記第４レンズ群との間の距離は、広角端に対して望遠端にて広がり、
前記第１レンズ群の像側面よりも像側で、且つ前記第２レンズ群の像側面よりも物体側に配置された開口絞りを有し、
前記第２レンズ群は、
前記第２レンズ群中で最も物体側に配置されたレンズ群である正屈折力の物体側サブレンズ群と、前記第２レンズ群中の前記物体側サブレンズ群の像側に配置された像側サブレンズ群の２つのサブレンズ群と、からなり、
前記第２レンズ群中の前記物体側サブレンズ群は、１つのレンズ成分からなり、
そのレンズ成分は、光路中にて物体側面と像側面の２面のみが空気と接し、
以下の条件式（１）、（４）を満足することを特徴とするズームレンズ。
０．８３＜ＩＨMAX／ｆw＜１．２        （１）
１．５＜ｆUN21／ＥＲS＜３．７          （４）
ただし、
ＩＨMAXは、最大像高であり、変倍に伴って前記最大像高が変化する場合はその最大値、
ｆwは、広角端での無限遠物点合焦時における前記ズームレンズ全系の焦点距離、
ＥＲSは、前記開口絞りの開口部の最大半径、
ｆUN21は、前記第２レンズ群中の前記物体側サブレンズ群の焦点距離、
である。
【請求項４】
物体側から像側に順に、
負屈折力の第１レンズ群と、正屈折力の第２レンズ群と、負屈折力の第３レンズ群と、を有し、
さらに、前記第３レンズ群の像側に配置された正屈折力の第４レンズ群を有し、
変倍の際に、前記各レンズ群の間の距離は各々変化し、
前記第１レンズ群と前記第２レンズ群との間の距離は、広角端よりも望遠端で短く、
前記第３レンズ群と前記第４レンズ群との間の距離は、広角端に対して望遠端にて広がり、
前記第１レンズ群の像側面よりも像側で、且つ前記第２レンズ群の像側面よりも物体側に配置された開口絞りを有し、
前記第２レンズ群は、
前記第２レンズ群中で最も物体側に配置されたレンズ群である正屈折力の物体側サブレンズ群と、前記第２レンズ群中の前記物体側サブレンズ群の像側に配置された像側サブレンズ群の２つのサブレンズ群からなり、
前記第２レンズ群中の前記物体側サブレンズ群は１つのレンズ成分からなり、
そのレンズ成分は、光路中にて物体側面と像側面の２面のみが空気と接し、
前記第２レンズ群中の前記像側サブレンズ群は、負屈折力を有するレンズ面とそのレンズ面よりも像側に配置された正レンズを有し、
前記第１レンズ群は、物体側から像側に順に、第１負レンズからなる物体側サブレンズ群と、第２負レンズと第１正レンズを含む像側サブレンズ群と、からなり、
以下の条件式（５）、（６）を満足することを特徴とするズームレンズ。
０．６＜ｆUN21／ｆ2＜１．６      （５）
１．１５＜｜ｆ3／ｆw｜＜２．５    （６）
ただし、
ｆUN21は、前記第２レンズ群中の前記物体側サブレンズ群の焦点距離、
ｆ2は、前記第２レンズ群の焦点距離、
ｆ3は、前記第３レンズ群の焦点距離、
ｆwは、広角端での無限遠物点合焦時における前記ズームレンズ全系の焦点距離、
である。
【請求項５】
物体側から像側に順に、
負屈折力の第１レンズ群と、正屈折力の第２レンズ群と、負屈折力の第３レンズ群と、を有し、
さらに、前記第３レンズ群の像側に配置された正屈折力の第４レンズ群を有し、
変倍の際に、
前記各レンズ群の間の距離は各々変化し、
前記第１レンズ群と前記第２レンズ群との間の距離は、広角端よりも望遠端で短く、
前記第３レンズ群と前記第４レンズ群との間の距離は、広角端に対して望遠端にて広がり、
前記第１レンズ群の像側面よりも像側で、且つ前記第２レンズ群の像側面よりも物体側に配置された開口絞りを有し、
前記第２レンズ群は、
前記第２レンズ群中で最も物体側に配置されたレンズ群である正屈折力の物体側サブレンズ群と、前記第２レンズ群中の前記物体側サブレンズ群の像側に配置された像側サブレンズ群の２つのサブレンズ群からなり、
前記第２レンズ群中の前記物体側サブレンズ群は１つのレンズ成分からなり、
そのレンズ成分は、光路中にて物体側面と像側面の２面のみが空気と接し、  
前記第２レンズ群中の前記像側サブレンズ群は、負屈折力を有するレンズ面とそのレンズ面よりも像側に配置された正レンズを有し、
前記第１レンズ群は、物体側から像側に順に、第１負レンズからなる物体側サブレンズ群と、第２負レンズと第１正レンズを含む像側サブレンズ群と、からなり、
以下の条件式（５）、（７）を満足することを特徴とするズームレンズ。
０．６＜ｆUN21／ｆ2＜１．６              （５）
１．６＜｜ｆ3／ＩＨ39w｜＜３．９  （７）
ただし、
ｆUN21は、前記第２レンズ群中の前記物体側サブレンズ群の焦点距離、
ｆ2は、前記第２レンズ群の焦点距離、
ｆ3は、前記第３レンズ群の焦点距離、
ＩＨ39wは、広角端での光軸上無限遠合焦時における前記ズームレンズの入射側半画角が３９°となる主光線と近軸像面とが交わる位置の光軸からの距離、
である。
【請求項６】
前記第３レンズ群の像側に配置された正屈折力の第４レンズ群を有し、
変倍の際に、
前記第３レンズ群と前記第４レンズ群との間の距離が変化することを特徴とする請求項１または２に記載のズームレンズ。
【請求項７】
前記第３レンズ群と前記第４レンズ群との間の距離は広角端に対して望遠端にて広がることを特徴とする請求項６に記載のズームレンズ。
【請求項８】
前記ズームレンズは、前記ズームレンズ中のレンズ群の総数が、前記第１レンズ群と、前記第２レンズ群と、前記第３レンズ群と、前記第４レンズ群との４つである４群ズームレンズであることを特徴とする請求項６または７に記載のズームレンズ。
【請求項９】
前記第２レンズ群中の前記物体側サブレンズ群と前記像側サブレンズ群とは、前記第２レンズ群中で最も大きい軸上空気間隔を挟んで配置されることを特徴とする請求項３、４、及び５の何れか１項に記載のズームレンズ。
【請求項１０】
前記第２レンズ群中の前記像側サブレンズ群は１つのレンズ成分からなり、
そのレンズ成分は光路中にて物体側面と像側面の２面のみが空気と接し、
前記第２レンズ群中のレンズ成分の総数は２であることを特徴とする請求項９に記載のズームレンズ。
【請求項１１】
以下の条件式（３）を満足することを特徴とする請求項１から１０の何れか１項に記載のズームレンズ。
０．３５＜｜ｆ3／ＥＲS｜＜１．０５      （３）
ただし、
ｆ3は、前記第３レンズ群の焦点距離、
ＥＲSは、前記開口絞りの開口部の最大半径、
である。
【請求項１２】
以下の条件式（７）を満足することを特徴とする請求項１から１１の何れか１項に記載のズームレンズ。
１．６＜｜ｆ3／ＩＨ39w｜＜３．９      （７）
ただし、
ｆ3は、前記第３レンズ群の焦点距離、
ＩＨ39wは、広角端での光軸上無限遠合焦時における前記ズームレンズの入射側半画角が３９°となる主光線と近軸像面とが交わる位置の光軸からの距離、
である。
【請求項１３】
以下の条件式（６）を満足することを特徴とする請求項１から１２の何れか１項に記載のズームレンズ。
１．１５＜｜ｆ3／ｆw｜＜２．５      （６）
ただし、
ｆ3は、前記第３レンズ群の焦点距離、
ｆwは、広角端での無限遠物点合焦時における前記ズームレンズ全系の焦点距離、
である。
【請求項１４】
以下の条件式（２）を満足することを特徴とする請求項１から１３の何れか１項に記載のズームレンズ。
−２０．０％＜ＤＴw＜−６．０％      （２）
ただし、
ＤＴw＝｛ＩＨw−ｆw×ｔａｎ（ωw）｝／｛ｆw×ｔａｎ（ωw）｝×１００（％）
ｆwは、広角端での無限遠物点合焦時における前記ズームレンズ全系の焦点距離、
ＩＨwは、広角端での無限遠物点合焦時における前記ズームレンズの最大像高、
ωwは、広角端での無限遠物点合焦時における半画角、
である。
【請求項１５】
前記第２レンズ群は、
前記第２レンズ群中で最も物体側に配置されたレンズ群である正屈折力の物体側サブレンズ群と、前記第２レンズ群中の前記物体側サブレンズ群の像側に配置された像側サブレンズ群の２つのサブレンズ群からなり、
前記第２レンズ群中の前記物体側サブレンズ群は１つのレンズ成分からなり、
そのレンズ成分は、光路中にて物体側面と像側面の２面のみが空気と接し、
以下の条件式（８）を満足することを特徴とする請求項１から１４の何れか１項に記載のズームレンズ。
−１．５＜ＳＦUN21＜０．５      （８）
ただし、
ＳＦUN21＝（ＲUN21O＋ＲUN21I）／（ＲUN21O−ＲUN21I）であり、
ＲUN21Oは、前記第２レンズ群中の前記物体側サブレンズ群の物体側面の近軸曲率半径、
ＲUN21Iは、前記第２レンズ群中の前記物体側サブレンズ群の像側面の近軸曲率半径、
である。
【請求項１６】
以下の条件式（９）を満足することを特徴とする請求項１から１５の何れか１項に記載のズームレンズ。
０．４５＜Σ2G／ｆw＜１．１      （９）
ただし、
Σ2Gは、前記第２レンズ群の光軸上における厚さ、
ｆwは、広角端での無限遠物点合焦時における前記ズームレンズ全系の焦点距離、
である。
【請求項１７】
前記第２レンズ群は、
前記第２レンズ群中で最も物体側に配置されたレンズ群である正屈折力の物体側サブレンズ群と、前記第２レンズ群中の前記物体側サブレンズ群の像側に配置された像側サブレンズ群の２つのサブレンズ群からなり、
前記第２レンズ群中の前記物体側サブレンズ群は１つのレンズ成分からなり、
そのレンズ成分は、光路中にて物体側面と像側面の２面のみが空気と接し、
前記第２レンズ群中の前記像側サブレンズ群は、負屈折力を有するレンズ面とそのレンズ面よりも像側に配置された正レンズを有することを特徴とする請求項１から１６の何れか１項に記載のズームレンズ。
【請求項１８】
以下の条件式（１０）を満足することを特徴とする請求項１から１７の何れか１項に記載のズームレンズ。
１．０＜｜ｆ3／ｆ2｜＜１．９      （１０）
ただし、
ｆ2は、前記第２レンズ群の焦点距離、
ｆ3は、前記第３レンズ群の焦点距離、
である。
【請求項１９】
以下の条件式（１１）を満足することを特徴とする請求項１から１８の何れか１項に記載のズームレンズ。
１．３＜｜ｆ3／ＩＨMAX｜＜２．５      （１１）
ただし、
ｆ3は、前記第３レンズ群の焦点距離、
ＩＨMAXは、最大像高であり、変倍に伴って前記最大像高が変化する場合はその最大値、
である。
【請求項２０】
前記第３レンズ群は、比重が０．９ｇ／ｃｍ３より大きく１．３ｇ／ｃｍ３よりも小さいレンズを有することを特徴とする請求項１から１９の何れか１項に記載のズームレンズ。
【請求項２１】
前記第２レンズ群は、負レンズと、以下の条件式（１２）を満足する正レンズを有する
ことを特徴とする請求項１から２０の何れか１項に記載のズームレンズ。
６３＜νp1＜９６      （１２）
ただし、
νp1は、前記第２レンズ群中の何れかの正レンズのｄ線基準のアッベ数、
である。
【請求項２２】
前記第１レンズ群は、物体側から像側に順に、第１負レンズからなる物体側サブレンズ群と、第２負レンズと第１正レンズを含む像側サブレンズ群からなることを特徴とする請求項１から２１の何れか１項に記載のズームレンズ。
【請求項２３】
以下の条件式（１３）を満足することを特徴とする請求項２２に記載のズームレンズ。
−０．９＜ＳＦ2N＜１．５      （１３）
ただし、
ＳＦ2N＝（Ｒ2NO＋Ｒ2NI）／（Ｒ2NO−Ｒ2NI）であり、
Ｒ2NOは、前記第１レンズ群中の前記第２負レンズの物体側面の近軸曲率半径、
Ｒ2NIは、前記第１レンズ群中の前記第２負レンズの像側面の近軸曲率半径、
である。
【請求項２４】
以下の条件式（１４）を満足することを特徴とする請求項１から２３の何れか１項に記載のズームレンズ。
０．６＜ｆｂw／ＩＨMAX＜１．８      （１４）
ただし、
ｆｂwは、広角端での無限遠物点合焦時におけるズームレンズの空気換算したバックフォーカス、
ＩＨMAXは、最大像高であり、変倍に伴って前記最大像高が変化する場合はその最大値、
である。
【請求項２５】
以下の条件式（１５）を満足するとを特徴とする請求項１から２４の何れか１項に記載のズームレンズ。
０．４＜ｆ1／ｆ3＜１．２      （１５）
ただし、
ｆ1は、前記第１レンズ群の焦点距離、
ｆ3は、前記第３レンズ群の焦点距離、
である。
【請求項２６】
以下の条件式（１６）を満足することを特徴とする請求項１から２５の何れか１項に記載のズームレンズ。
０．４５＜Σ2G／ｆ2＜０．７５      （１６）
ただし、
Σ2Gは、前記第２レンズ群の光軸上における厚さ、
ｆ2は、前記第２レンズ群の焦点距離、
である。
【請求項２７】
以下の条件式（５）を満足することを特徴とする請求項１から２８の何れか１項に記載のズームレンズ。
０．６＜ｆUN21／ｆ2＜１．６    （５）  
ただし、
ｆUN21は、前記第２レンズ群中の前記物体側サブレンズ群の焦点距離、
ｆ2は、前記第２レンズ群の焦点距離、
である。
【請求項２８】
以下の条件式（１７）を満足することを特徴とする請求項１から２７の何れか１項に記載のズームレンズ。
３＜ＬＴＬw／ｆｂw＜１３      （１７）
ただし、
ＬＴＬwは、広角端での光軸上無限遠物点合焦時におけるズームレンズの最も物体側の屈折面から最も像側の屈折面までの光軸上での距離と空気換算したバックフォーカスとの和、
ｆｂwは、広角端での光軸上無限遠物点合焦時におけるズームレンズの空気換算したバックフォーカス、
である。
【請求項２９】
以下の条件式（１８）を満足することを特徴とする請求項３、４、５、９、１０、１５、１７の何れか１項に記載のズームレンズ。
０．８＜ｆUN21／ｆw＜１．７      （１８）
ただし、
ｆUN21は、前記第２レンズ群中の前記物体側サブレンズ群の焦点距離、
ｆwは、広角端での無限遠物点合焦時における前記ズームレンズ全系の焦点距離、
である。
【請求項３０】
以下の条件式（１９）を満足することを特徴とする請求項１から２９の何れか１項に記載のズームレンズ。
０．４＜ΔＤ12／ｆT＜０．６      （１９）
ただし、
ΔＤ12＝Ｄ12W−Ｄ12Tであり、
Ｄ12Wは、広角端での光軸上無限遠物点合焦時における前記第１レンズ群と前記第２レンズ群との間の距離、
Ｄ12Tは、望遠端での光軸上無限遠物点合焦時における前記第１レンズ群と前記第２レンズ群との間の距離、
ｆTは、望遠端での無限遠物点合焦時におけるズームレンズ全系の焦点距離、
である。
【請求項３１】
以下の条件式（２０）を満足することを特徴とする請求項１から３０の何れか１項に記載のズームレンズ。
０．７３＜ＩＨ39w／ｆw＜０．７７      （２０）
ただし、
ＩＨ39wは、広角端での光軸上無限遠合焦時における前記ズームレンズの入射側半画角が３９°となる主光線と近軸像面とが交わる位置の光軸からの距離、
ｆwは、広角端での無限遠物点合焦時における前記ズームレンズ全系の焦点距離、
である。
【請求項３２】
広角端にて、半画角が３３°以上の光線が前記ズームレンズ中を通過可能であり、
以下の条件式（２１）を満足することを特徴とする請求項１から３１の何れか１項に記載のズームレンズ。
２．６＜ｆt／ｆw＜７．０      （２１）
ただし、
ｆtは、望遠端での無限遠物点合焦時におけるズームレンズ全系の焦点距離、
ｆwは、広角端での無限遠物点合焦時におけるズームレンズ全系の焦点距離、
である。
【請求項３３】
前記第２レンズ群は、
前記第２レンズ群中で最も物体側に配置された正屈折力の単レンズと、物体側から順に負レンズと正レンズからなる接合レンズからなり、
前記開口絞りが前記第２レンズ群中の前記単レンズと前記接合レンズとの間に位置する
ことを特徴とする請求項１から３２の何れか１項に記載のズームレンズ。
【請求項３４】
ズームレンズと、
撮像面をもち且つ前記ズームレンズにより前記撮像面上に形成された像を電気信号に変換する撮像素子とを有し、
前記ズームレンズが、請求項１から３３の何れか１項に記載のズームレンズであることを特徴とする撮像装置。
【発明の詳細な説明】
【技術分野】
【０００１】
本発明は、ズームレンズに関するものである。さらには、ズームレンズを有する撮像装置に関するものである。
【背景技術】
【０００２】
カメラでは、用途やニーズに応じて、撮像素子の撮像面エリアを大きくして画質の向上を図ることや、逆に撮像面エリアを小さくしてカメラ全体の小型化を行うことが行われている。ここで、カメラには、様々な種類の光学系が用いられているが、このうちの１つにズームレンズがある。ズームレンズは、交換レンズ（カメラ本体に着脱させるレンズ）にも用いられている。
【０００３】
撮像面エリアが大きいと、撮像面に形成される像（被写体の像）も大きくなる。そのため、撮像面エリアが大きいカメラでは、ズームレンズも大きくなりやすい。そこで、撮像面エリアが大きいカメラ用のズームレンズには、良好な光学性能と良好な携帯性の両立が求められる。すなわち、ズームレンズには、像の中心から周辺まで収差が良好に補正されていることと、小型であることが求められる。なお、良好な光学性能と良好な携帯性の両立は、撮像面エリアが小さいカメラ用のズームレンズでも求められている。
【０００４】
このような要求に応えるズームレンズが、特許文献１、２に開示されている。特許文献１、２のズームレンズは、物体側から順に、負屈折力のレンズ群と、正屈折力のレンズ群と、負屈折力のレンズ群と、正屈折力のレンズ群と、を有している。特許文献１、２のズームレンズは、比較的小型であり、広角端で広い画角を有している。
【先行技術文献】
【特許文献】
【０００５】
【特許文献１】特開２０１２−１３３２３０号公報
【特許文献２】特開２０１２−５８４０６号公報
【発明の概要】
【発明が解決しようとする課題】
【０００６】
カメラの携帯性をより良くするために、ズームレンズには一層の小型化が求められる。しかしながら、特許文献１、２に開示されたズームレンズでは、光学系の小型化が十分に達成されているとはいえない。また、特許文献１、２に開示されたズームレンズでは、諸収差の良好な補正と更なる光学系の小型化とを両立させることは難しい。
【０００７】
本発明は、このような課題に鑑みてなされたものであって、諸収差の良好な補正と光学系の小型化とが両立されたズームレンズ及びそれを有する撮像装置の提供を目的とするものである。
【課題を解決するための手段】
【０００８】
上述した課題を解決し、目的を達成するために、本発明のズームレンズは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
開口絞りは、第１レンズ群の像側面よりも像側で、且つ第２レンズ群の像側面よりも物体側に配置され、
以下の条件式（１）、（２）、（３）を満足することを特徴とする。
０．８３＜ＩＨMAX／ｆw＜１．２        （１）
−２０．０％＜ＤＴw＜−６．０％      （２）
０．３５＜｜ｆ3／ＥＲS｜＜１．０５  （３）
ただし、
ＩＨMAXは、最大像高であり、変倍に伴って最大像高が変化する場合はその最大値、
ｆwは、広角端での無限遠物点合焦時におけるズームレンズ全系の焦点距離、
ＤＴw＝｛ＩＨw−ｆw×ｔａｎ（ωw）｝／｛ｆw×ｔａｎ（ωw）｝×１００（％）
ｆwは、広角端での無限遠物点合焦時におけるズームレンズ全系の焦点距離、
ＩＨwは、広角端での無限遠物点合焦時における最大像高、
ωwは、広角端での無限遠物点合焦時における半画角、
ｆ3は、第３レンズ群の焦点距離、
ＥＲSは、開口絞りの開口部の最大半径、
である。
【０００９】
また、本発明の別のズームレンズは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
第１レンズ群の像側面よりも像側で、且つ第２レンズ群の像側面よりも物体側に配置された開口絞りを有し、
第１レンズ群は、物体側から像側に順に、物体側サブレンズ群と、像側サブレンズ群と、からなり、
第１レンズ群の物体側サブレンズ群は、第１負レンズからなり、
第１レンズ群の像側サブレンズ群は、第２負レンズと第１正レンズを含み、
以下の条件式（１）、（２）を満足することを特徴とする。
０．８３＜ＩＨMAX／ｆw＜１．２        （１）
−２０．０％＜ＤＴw＜−６．０％        （２）
ただし、
ＩＨMAXは、最大像高であり、変倍に伴って最大像高が変化する場合はその最大値、
ｆwは、広角端での無限遠物点合焦時におけるズームレンズ全系の焦点距離、
ＤＴw＝｛ＩＨw−ｆw×ｔａｎ（ωw）｝／｛ｆw×ｔａｎ（ωw）｝×１００（％）
ＩＨwは、広角端での無限遠物点合焦時における最大像高、
ωwは、広角端での無限遠物点合焦時における半画角、
である。
【００１０】
また、本発明の別のズームレンズは、
物体側から像側に順に、
負屈折力の第１レンズ群と、正屈折力の第２レンズ群と、負屈折力の第３レンズ群と、を有し、
さらに、第３レンズ群の像側に配置された正屈折力の第４レンズ群を有し、
変倍の際に、
各レンズ群の間の距離は各々変化し、
第１レンズ群と第２レンズ群との間の距離は、広角端よりも望遠端で短く、
第３レンズ群と第４レンズ群との間の距離は、広角端に対して望遠端にて広がり、
第１レンズ群の像側面よりも像側で、且つ第２レンズ群の像側面よりも物体側に配置された開口絞りを有し、
第２レンズ群は、
第２レンズ群中で最も物体側に配置されたレンズ群である正屈折力の物体側サブレンズ群と、第２レンズ群中の物体側サブレンズ群の像側に配置された像側サブレンズ群の２つのサブレンズ群と、からなり、
第２レンズ群中の物体側サブレンズ群は、１つのレンズ成分からなり、
そのレンズ成分は、光路中にて物体側面と像側面の２面のみが空気と接し、
以下の条件式（１）、（４）を満足することを特徴とする。
０．８３＜ＩＨMAX／ｆw＜１．２        （１）
１．５＜ｆUN21／ＥＲS＜３．７          （４）
ただし、
ＩＨMAXは、最大像高であり、変倍に伴って最大像高が変化する場合はその最大値、
ｆwは、広角端での無限遠物点合焦時におけるズームレンズ全系の焦点距離、
ＥＲSは、開口絞りの開口部の最大半径、
ｆUN21は、第２レンズ群中の物体側サブレンズ群の焦点距離、
である。
【００１１】
また、本発明の別のズームレンズは、
物体側から像側に順に、
負屈折力の第１レンズ群と、正屈折力の第２レンズ群と、負屈折力の第３レンズ群と、を有し、
さらに、第３レンズ群の像側に配置された正屈折力の第４レンズ群を有し、
変倍の際に、
各レンズ群の間の距離は各々変化し、
第１レンズ群と第２レンズ群との間の距離は、広角端よりも望遠端で短く、
第３レンズ群と第４レンズ群との間の距離は、広角端に対して望遠端にて広がり、
第１レンズ群の像側面よりも像側で、且つ第２レンズ群の像側面よりも物体側に配置された開口絞りを有し、
第２レンズ群は、
第２レンズ群中で最も物体側に配置されたレンズ群である正屈折力の物体側サブレンズ群と、第２レンズ群中の物体側サブレンズ群の像側に配置された像側サブレンズ群の２つのサブレンズ群からなり、
第２レンズ群中の物体側サブレンズ群は１つのレンズ成分からなり、
そのレンズ成分は、光路中にて物体側面と像側面の２面のみが空気と接し、
第２レンズ群中の像側サブレンズ群は、負屈折力を有するレンズ面と、そのレンズ面よりも像側に配置された正レンズを有し、
第１レンズ群は、物体側から像側に順に、第１負レンズからなる物体側サブレンズ群と、第２負レンズと第１正レンズを含む像側サブレンズ群と、からなり、
以下の条件式（５）、（６）を満足することを特徴とする。
０．６＜ｆUN21／ｆ2＜１．６      （５）
１．１５＜｜ｆ3／ｆw｜＜２．５    （６）
ただし、
ｆUN21は、第２レンズ群中の物体側サブレンズ群の焦点距離、
ｆ2は、第２レンズ群の焦点距離、
ｆ3は、第３レンズ群の焦点距離、
ｆwは、広角端での無限遠物点合焦時におけるズームレンズ全系の焦点距離、
である。
【００１２】
また。本発明の別のズームレンズは、
物体側から像側に順に、
負屈折力の第１レンズ群と、正屈折力の第２レンズ群と、負屈折力の第３レンズ群と、を有し、
さらに、第３レンズ群の像側に配置された正屈折力の第４レンズ群を有し、
変倍の際に、各レンズ群の間の距離は各々変化し、
第１レンズ群と第２レンズ群との間の距離は、広角端よりも望遠端で短く、
第３レンズ群と第４レンズ群との間の距離は、広角端に対して望遠端にて広がり、
第１レンズ群の像側面よりも像側で、且つ第２レンズ群の像側面よりも物体側に配置された開口絞りを有し、
第２レンズ群は、
第２レンズ群中で最も物体側に配置されたレンズ群である正屈折力の物体側サブレンズ群と、第２レンズ群中の物体側サブレンズ群の像側に配置された像側サブレンズ群の２つのサブレンズ群からなり、
第２レンズ群中の物体側サブレンズ群は１つのレンズ成分からなり、
そのレンズ成分は、光路中にて物体側面と像側面の２面のみが空気と接し、
第２レンズ群中の像側サブレンズ群は、負屈折力を有するレンズ面とそのレンズ面よりも像側に配置された正レンズを有し、
第１レンズ群は、物体側から像側に順に、第１負レンズからなる物体側サブレンズ群と、第２負レンズと第１正レンズを含む像側サブレンズ群と、からなり、
以下の条件式（５）、（７）を満足することを特徴とする。
０．６＜ｆUN21／ｆ2＜１．６              （５）
１．６＜｜ｆ3／ＩＨ39w｜＜３．９      （７）
ただし、  
ｆUN21は、第２レンズ群中の物体側サブレンズ群の焦点距離、
ｆ2は、第２レンズ群の焦点距離、
ｆ3は、第３レンズ群の焦点距離、
ＩＨ39wは、広角端での光軸上無限遠合焦時におけるズームレンズの入射側半画角が３９°となる主光線と近軸像面とが交わる位置の光軸からの距離、
である。
【００１３】
また、本発明の撮像装置は、
ズームレンズと、
撮像面を持ち且つズームレンズにより撮像面上に形成された像を電気信号に変換する撮像素子とを有し、
ズームレンズが、上述のズームレンズのいずれかであることを特徴とする。
【発明の効果】
【００１４】
本発明によれば、諸収差の良好な補正と光学系の小型化とが両立したズームレンズ及びそれを有する撮像装置を提供できる。
【図面の簡単な説明】
【００１５】
【図１】本発明のズームレンズの実施例１の無限遠物点合焦時の広角端（ａ）、中間焦点距離状態（ｂ）、望遠端（ｃ）でのレンズ断面図である。
【図２】本発明のズームレンズの実施例２の無限遠物点合焦時の広角端（ａ）、中間焦点距離状態（ｂ）、望遠端（ｃ）でのレンズ断面図である。
【図３】本発明のズームレンズの実施例３の無限遠物点合焦時の広角端（ａ）、中間焦点距離状態（ｂ）、望遠端（ｃ）でのレンズ断面図である。
【図４】本発明のズームレンズの実施例４の無限遠物点合焦時の広角端（ａ）、中間焦点距離状態（ｂ）、望遠端（ｃ）でのレンズ断面図である。
【図５】本発明のズームレンズの実施例５の無限遠物点合焦時の広角端（ａ）、中間焦点距離状態（ｂ）、望遠端（ｃ）でのレンズ断面図である。
【図６】本発明のズームレンズの実施例６の無限遠物点合焦時の広角端（ａ）、中間焦点距離状態（ｂ）、望遠端（ｃ）でのレンズ断面図である。
【図７】本発明のズームレンズの実施例７の無限遠物点合焦時の広角端（ａ）、中間焦点距離状態（ｂ）、望遠端（ｃ）でのレンズ断面図である。
【図８】実施例１の無限遠物点合焦時の収差図である。
【図９】実施例２の無限遠物点合焦時の収差図である。
【図１０】実施例３の無限遠物点合焦時の収差図である。
【図１１】実施例４の無限遠物点合焦時の収差図である。
【図１２】実施例５の無限遠物点合焦時の収差図である。
【図１３】実施例６の無限遠物点合焦時の収差図である。
【図１４】実施例７の無限遠物点合焦時の収差図である。
【図１５】ωwを説明するための図である。
【図１６】本発明の撮像装置の概観を示す前方斜視図である。
【図１７】撮像装置の後方斜視図である。
【図１８】撮像装置の断面図である。
【図１９】撮像装置の主要部の内部回路の構成ブロック図である。
【発明を実施するための形態】
【００１６】
以下に、本発明にかかるズームレンズ及びそれを有する撮像装置の実施形態及び実施例を、図面に基づいて詳細に説明する。なお、この実施形態及び実施例によりこの発明が限定されるものではない。
【００１７】
本願の実施形態では、広角端において半画角３９度、更には４１度を越える画角を確保し、全長を短縮し、２．８倍を超える変倍比を得ている。このようなスペックを得るべく、レンズ全長の制約とならないように各レンズ群のレンズ総枚数を少なく構成し、各レンズ群の総厚を小さくし、広角端から望遠端にかけて光学系として対称系に近い構成としている。
【００１８】
本実施形態のズームレンズの共通構成を説明する。
ズームレンズは、物体側から像側に順に、
負屈折力の第１レンズ群と、正屈折力の第２レンズ群と、負屈折力の第３レンズ群と、を有し、
広角端から望遠端への変倍の際に、
各レンズ群の間の距離は各々変化し、
第１レンズ群と第２レンズ群との間の距離は広角端よりも望遠端で短く、
第１レンズ群の像側面よりも像側で、且つ第２レンズ群の像側面よりも物体側に配置された開口絞りを有している。
【００１９】
この構成とすることで、ズーム域の全域で開口絞り近傍の第２レンズ群を中心とした対称的な屈折力配置の構成をとりやすくなる。そのため、レンズ枚数を減らすことで広角端でのズームレンズの全長を短縮しても、レンズ枚数の減少による諸収差の悪化を抑制できる。このように、基本構成では、光学系の小型化と変倍域全域での安定した光学性能の確保とを容易としている。なお、安定した光学性能とは、例えば、諸収差の発生や変動が十分に抑制されていることをいう。
【００２０】
また、本実施形態のズームレンズでは、以下の条件式（１）を満足することが好ましい。
０．８３＜ＩＨMAX／ｆw＜１．２      （１）
ただし、
ＩＨMAXは、最大像高であり、変倍に伴って最大像高が変化する場合はその最大値、
ｆwは、広角端での無限遠物点合焦時におけるズームレンズ全系の焦点距離、
である。
【００２１】
条件式（１）の下限値を下回らないようにすることで、広角端における画角を確保しやすくしている。
また、条件式（１）の上限値を上回らないようにすることで、ズームレンズの径方向の小型化と、ズームレンズの全長の小型化との両立を行っている。また、望遠側の焦点距離も長くしやすくなる。これにより、適度な変倍比を確保している。
【００２２】
また、本実施形態のズームレンズでは、以下の条件式（２）を満足することが好ましい。
−２０．０％＜ＤＴw＜−６．０％      （２）
ただし、
ＤＴw＝｛ＩＨw−ｆw×ｔａｎ（ωw）｝／｛ｆw×ｔａｎ（ωw）｝×１００（％）
ＩＨwは、広角端での無限遠物点合焦時における最大像高、
ｆwは、広角端での無限遠物点合焦時におけるズームレンズ全系の焦点距離、
ωwは、広角端での無限遠物点合焦時における半画角、
である。
【００２３】
条件式（２）の下限値を下回らないようにして、画像の歪みを低減することが好ましい。また、広角端でのディストーション（歪曲収差）を電気的に補正した場合、補正画像の周辺での解像劣化を抑えられる。
また、条件式（２）の上限値を上回らないようにすることで、非点収差の補正と、第１レンズ群の小型化とに寄与する。
【００２４】
また、本実施形態のズームレンズでは、以下の条件式（３）を満足することが好ましい。
０．３５＜｜ｆ3／ＥＲS｜＜１．０５      （３）
ただし、
ｆ3は、第３レンズ群の焦点距離、
ＥＲSは、開口絞りの開口部の最大半径、
である。
【００２５】
条件式（３）の下限値を下回らず、また、上限値を上回らないようにすることで、ズームレンズの屈折力の対称性のバランスが良好となる。これにより、球面収差・像面湾曲の補正に寄与する。この結果、広角端画角を確保しつつ、変倍域全域での安定した性能の確保に寄与する。
【００２６】
また、本実施形態のズームレンズは、上述の共通構成において、第１レンズ群は、物体側から像側に順に、第１負レンズからなる物体側サブレンズ群と、第２負レンズと第１正レンズを含む像側サブレンズ群と、からなることが好ましい。
【００２７】
第１負レンズの負屈折力を高めることで入射瞳を物体側に近づけて広角端での画角確保と小径化に寄与する。一方、広角端付近で非点収差、望遠端付近で球面収差とコマ収差の発生が発生しやすくなるが、像側サブレンズ群を上記の構成とすることで、第１レンズ群全体での収差を抑え変倍域全域で安定した光学性能が得られる。
また、第１負レンズは物体側に凸の負メニスカスレンズとすることで、第１負レンズで発生する非点収差とコマ収差を減らし、第１レンズ群全体での収差低減をおこなっている。
【００２８】
また、本実施形態のズームレンズは、上述の共通構成において、第３レンズ群の像側に配置された正屈折力の第４レンズ群を有し、広角端から望遠端への変倍の際に、第３レンズ群と第４レンズ群との間の距離が変化することが好ましい。
【００２９】
これにより、負屈折力の第３レンズ群と正屈折力の第４レンズ群の合成系にて、それよりも物体側の光学系で形成される像を拡大する拡大光学系となる。それにより、第１レンズ群の小径化を行なっている。また、射出瞳を撮像面から遠ざけやすくなり、画質向上に寄与する。
更には、第４レンズ群の最も物体側のレンズ面が物体側に凹面、最も像側のレンズ面が像側に凸面とすることで、像面湾曲・ディストーションを抑えることができ、変倍域全域で良好な性能の確保に寄与する。
【００３０】
さらに、第３レンズ群と第４レンズ群との間の距離は広角端に対して望遠端にて広がることで、変倍比の確保に寄与する。第４レンズ群が広角端から望遠端への変倍に際して静止することで、ズームレンズの動作時の雑音低減にも寄与する。これにより、構成を簡単にし易く、小型化に寄与する。
【００３１】
また、本実施形態のズームレンズは、上述の共通構成において、第２レンズ群は、第２レンズ群中で最も物体側に配置されたレンズ群である正屈折力の物体側サブレンズ群と、第２レンズ群中の物体側サブレンズ群の像側に配置された像側サブレンズ群の２つのサブレンズ群からなり、第２レンズ群中の物体側サブレンズ群は１つのレンズ成分からなり、そのレンズ成分は光路中にて物体側面と像側面の２面のみが空気と接していることが好ましい。
【００３２】
これにより、開口絞りの近傍に位置する第２レンズ群は、球面収差・コマ収差の関与が大きい。上記構成とすることで物体側サブレンズ群と像側サブレンズ群とにより、球面収差、コマ収差を打消し合い、良好に収差補正できる構成とすることができる。加えて、両サブレンズ群の間の空気間隔を確保することで非点収差の補正効果が得られる。
【００３３】
また、本実施形態のズームレンズは、以下の条件式（４）を満足することが好ましい。
１．５＜ｆUN21／ＥＲS＜３．７      （４）
ただし、
ＥＲSは、開口絞りの開口部の最大半径、
ｆUN21は、第２レンズ群中の物体側サブレンズ群の焦点距離、
である。
【００３４】
条件式（４）の下限値を下回らないようにすることで、第２レンズ群中の物体側サブレンズ群の球面収差・コマ収差の発生を抑えられる。これにより、像側サブレンズ群でそれらの収差を打ち消しやすくなり性能向上に寄与する。
条件式（４）の上限値を上回らないようにすることで、第２レンズ群の正屈折力を高めやすくなり全長の短縮化に寄与する。
【００３５】
また、第２レンズ群中の像側サブレンズ群は、負屈折力を有するレンズ面とそのレンズ面よりも像側に配置された正レンズを有していることが好ましい。
【００３６】
これにより、ズームレンズの屈折力配置の対称性をなお一層向上できる。これにより、第２レンズ群の正屈折力を高めて小型化を行いつつ、変倍域全域での光学性能向上を行っている。
【００３７】
また、本実施形態のズームレンズは、以下の条件式（５）を満足することが好ましい。
０．６＜ｆUN21／ｆ2＜１．６      （５）
ただし、
ｆUN21は、第２レンズ群中の物体側サブレンズ群の焦点距離、
ｆ2は、第２レンズ群の焦点距離、
である。
【００３８】
条件式（５）の下限値を下回らないようにすることで、第２レンズ群中の物体側サブレンズ群の球面収差・コマ収差の発生を抑えられる。これにより、像側サブレンズ群でそれらの収差を打ち消しやすくなり、性能向上に寄与する。
条件式（５）の上限値を上回らないようにすることで、第２レンズ群の正屈折力を高めやすくなり全長の短縮化に寄与する。
【００３９】
また、本実施形態のズームレンズは、以下の条件式（６）を満足することが好ましい。
１．１５＜｜ｆ3／ｆw｜＜２．５      （６）
ただし、
ｆ3は、第３レンズ群の焦点距離、
ｆwは、広角端での無限遠物点合焦時におけるズームレンズ全系の焦点距離、
である。
【００４０】
条件式（６）の下限値を下回らず、上限値を上回らないようにすることで、ズームレンズの屈折力の対称性のバランスが良好となり球面収差・像面湾曲の補正に寄与する。これにより、広角端画角を確保しつつ、変倍域全域での安定した光学性能の確保に寄与する。
【００４１】
また、本実施形態のズームレンズは、以下の条件式（７）を満足することが好ましい。
１．６＜｜ｆ3／ＩＨ39w｜＜３．９      （７）
ただし、
ｆ3は、第３レンズ群の焦点距離、
ＩＨ39wは、広角端での光軸上無限遠合焦時におけるズームレンズの入射側半画角が３９°となる主光線と近軸像面とが交わる位置の光軸からの距離、
である。
【００４２】
条件式（７）の下限値を下回らないようにすることで、第３レンズ群の負屈折力を適度に弱める。これにより、ズームレンズの全長の短縮化に寄与する。
条件式（７）の上限値を上回らないようにすることで、第３レンズ群の球面収差・コマ収差の補正作用を十分に確保できる。これにより、変倍域全域で良好な光学性能を得やすくなる。
【００４３】
また、本実施形態のズームレンズは、ズームレンズ中のレンズ群の総数が、第１レンズ群、第２レンズ群と、第３レンズ群と、第４レンズ群との４つである４群ズームレンズであることが好ましい。これにより、ズームレンズの構成を簡単にし易く、小型化に寄与する。
【００４４】
また、本実施形態のズームレンズは、第２レンズ群中の物体側サブレンズ群と像側サブレンズ群とは、第２レンズ群中で最も大きい軸上空気間隔を挟んで配置されることが好ましい。これにより、第２レンズ群の収差補正に寄与する。
【００４５】
また、本実施形態のズームレンズは、第２レンズ群中の像側サブレンズ群は１つのレンズ成分からなり、そのレンズ成分は光路中にて物体側面と像側面の２面のみが空気と接し、第２レンズ群中のレンズ成分の総数は２であることが好ましい。これにより、第２レンズ群の小型化に寄与する。
【００４６】
また、本実施形態のズームレンズは、以下の条件式（８）を満足することが好ましい。
−１．５＜ＳＦUN21＜０．５      （８）
ただし、
ＳＦUN21＝（ＲUN21O＋ＲUN21I）／（ＲUN21O−ＲUN21I）であり、
ＲUN21Oは、第２レンズ群中の物体側サブレンズ群の物体側面の近軸曲率半径、
ＲUN21Iは、第２レンズ群中の物体側サブレンズ群の像側面の近軸曲率半径、
である。
【００４７】
条件式（８）の下限値を下回らないようにすることで、第２レンズ群中の物体側サブレンズ群の入射面で発生しやすい球面収差・コマ収差を抑えることができる。特に、望遠端付近での光学性能の確保に寄与する。
条件式（８）の上限値を上回らないようにすることで、第２レンズ群の主点が像側に寄りすぎないようにして、変倍比の確保を行いやすくしている。
【００４８】
また、本実施形態のズームレンズは、以下の条件式（９）を満足することが好ましい。
０．４５＜Σ2G／ｆw＜１．１      （９）
ただし、
Σ2Gは、第２レンズ群の光軸上における厚さ、
ｆwは、広角端での無限遠物点合焦時におけるズームレンズ全系の焦点距離、
である。
【００４９】
条件式（９）の下限値を下回らないようにして、像面湾曲を低減し、変倍域全域で像面湾曲の補正を行いやすくしている。
条件式（９）の上限値を上回らないようにして、第２レンズ群の厚さを小さくし、ズームレンズ沈胴時の小型化をしている。
【００５０】
また、本実施形態のズームレンズは、以下の条件式（１０）を満足することが好ましい。
１．０＜｜ｆ3／ｆ2｜＜１．９      （１０）
ただし、
ｆ2は、第２レンズ群の焦点距離、
ｆ3は、第３レンズ群の焦点距離、
である。
【００５１】
条件式（１０）の下限値を下回らないようにすることで、第３レンズ群の負屈折力を適度に弱める。これにより、ズームレンズ全長の短縮化に寄与する。
条件式（１０）の上限値を上回らないようにすることで、第３レンズ群の球面収差・コマ収差の補正作用を十分に確保できる。これにより、ズームレンズの変倍域全域で良好な性能を得やすくなる。
【００５２】
また、本実施形態のズームレンズは、以下の条件式（１１）を満足することが好ましい。
１．３＜｜ｆ3／ＩＨMAX｜＜２．５      （１１）
ただし、
ｆ3は、第３レンズ群の焦点距離、
ＩＨMAXは、最大像高であり、変倍に伴って最大像高が変化する場合はその最大値、
である。
【００５３】
条件式（１１）の技術的意義は、条件式（１０）と同じである。このため、重複する説明は、省略する。
【００５４】
また、本実施形態のズームレンズは、第３レンズ群は、比重が０．９ｇ／ｃｍ３より大きく１．３ｇ／ｃｍ３よりも小さいレンズを有することが好ましい。
【００５５】
第３レンズ群は、変倍への関与を比較的少なくすることが可能である。第３レンズ群の光軸方向の移動によりフォーカシングを行うことや、レンズ群のシフト移動により手ブレによる像ブレの低減を行うことが好ましい。また、上記の比重の条件を満たして、第３レンズ群の軽量化と剛性の確保をすることで、フォーカシングの高速化や手ブレに対するレンズ群のシフト移動の追従性を向上させている。
【００５６】
また、本実施形態のズームレンズでは、第２レンズ群は、負レンズと、以下の条件式（１２）を満足する正レンズを有することが好ましい。
６３＜νp1＜９６      （１２）
ただし、
νp1は、第２レンズ群中の何れかの正レンズのｄ線基準のアッベ数、
である。
【００５７】
第２レンズ群は開口絞りに近接しており、色ごとの球面収差への影響が大きい。軸上色収差の補正には、正屈折力のレンズの分散を小さく、負屈折力のレンズの分散を大きくすることが好ましい。一方、分散の大きいレンズは異常分散性も大きく、色ごとの球面収差の補正がしにくくなる。ここで、上記条件式（１２）を満たすことでこれらの収差を良好に補正できる。
【００５８】
正レンズが条件式（１２）の下限値を下回らないような低分散とすることで、相対的に負レンズの異常分散性を抑えられ、色収差の補正に寄与する。
正レンズが、条件式（１２）の上限値を上回らないような分散とすることで、正レンズの異常分散性を低減でき、色収差の補正に寄与する。
【００５９】
また、本実施形態のズームレンズでは、第１レンズ群中の第２負レンズは、以下の条件式（１３）を満足することが好ましい。
−０．９＜ＳＦ2N＜１．５      （１３）
ただし、
ＳＦ2N＝（Ｒ2NO＋Ｒ2NI）／（Ｒ2NO−Ｒ2NI）であり、
Ｒ2NOは、第１レンズ群中の第２負レンズの物体側面の近軸曲率半径、
Ｒ2NIは、第１レンズ群中の第２負レンズの像側面の近軸曲率半径、
である。
【００６０】
条件式（１３）の下限値を下回らないようにすることで、第２負レンズの物体側面がフチで第１負レンズに出っ張りすぎないようにする。これにより、第１、第２負レンズの間隔を小さくして、第１レンズ群の小型化に寄与する。
条件式（１３）の上限値を上回らないようにすることで、第２負レンズの物体側面で十分な非点収差の補正効果を得やすくしている。
【００６１】
また、本実施形態のズームレンズは、以下の条件式（１４）を満足することが好ましい。
０．６＜ｆｂw／ＩＨMAX＜１．８      （１４）
ただし、
ｆｂwは、広角端での光軸上無限遠合焦時におけるズームレンズの空気換算したバックフォーカス、
ＩＨMAXは、最大像高であり、変倍に伴って最大像高が変化する場合はその最大値、
である。
【００６２】
条件式（１４）の下限値を下回らないようにして、ズームレンズ全体を像面から離すことで、射出瞳を像面から遠ざけやすくなる。これにより、像面への光線の入射角の変動も抑えやすくなり、全画面に十分な光量を導きやすくなる。
条件式（１４）の上限値を上回らないようにすることで、ズームレンズの使用時の全長の短縮化と広角端での広画角化に寄与する。
【００６３】
また、本実施形態のズームレンズは、以下の条件式（１５）を満足することが好ましい。
０．４＜ｆ1／ｆ3＜１．２      （１５）
ただし、
ｆ1は、第１レンズ群の焦点距離、
ｆ3は、第３レンズ群の焦点距離、
である。
【００６４】
条件式（１５）の下限値を下回らないようにすることで、第１レンズ群の負屈折力を抑え、小型化しても大きな負のディストーションが発生しないようにしている。
条件式（１５）の上限値を上回らないようにすることで、第３レンズ群の負屈折力を抑え、小型化しても大きな正のディストーションが発生しないようにしている。
また、第３レンズ群による倍率色収差の発生を低減しやすくなり、第３レンズ群のレンズ枚数の低減と小型化に寄与する。
【００６５】
また、本実施形態のズームレンズは、以下の条件式（１６）を満足することが好ましい。
０．４５＜Σ2G／ｆ2＜０．７５      （１６）
ただし、
Σ2Gは、第２レンズ群の光軸上における厚さ、
ｆ2は、第２レンズ群の焦点距離、
である。
【００６６】
条件式（１６）の下限値を下回らないようにすることで、像面湾曲のオーバー傾向を抑えやすくなる。これにより、変倍域全域で像面湾曲を抑えやすくしている。又、第２レンズ群の正屈折力の十分な確保を行いやすくなり、ズームレンズ全長の小型化に寄与する。
条件式（１６）の上限値を上回らないようにすることで、第２レンズ群の厚さを抑え、小型化に寄与する。
【００６７】
また、本実施形態のズームレンズは、以下の条件式（１７）を満足することが好ましい。
３＜ＬＴＬw／ｆｂw＜１３      （１７）
ただし、
ＬＴＬwは、広角端での光軸上無限遠合焦時におけるズームレンズの最も物体側の屈折面から最も像側の屈折面までの光軸上での距離と空気換算したバックフォーカスとの和、
ｆｂwは、広角端での光軸上無限遠合焦時におけるズームレンズの空気換算したバックフォーカス、
である。
【００６８】
条件式（１７）の下限値を下回らないようにすることで、２．８倍を超える変倍比の確保のための可変スペースを確保し易くしている。
上限値（１７）の上限値を上回らないようにすることで、ズームレンズの全長の短縮を行っている。又、ズームレンズを交換レンズに用いた場合では、バックフォーカスを確保して、カメラ本体との干渉が起こらないようにしている。
【００６９】
また、本実施形態のズームレンズは、以下の条件式（１８）を満足することが好ましい。
０．８＜ｆUN21／ｆw＜１．７      （１８）
ただし、
ｆUN21は、第２レンズ群中の物体側サブレンズ群の焦点距離、
ｆwは、広角端での無限遠合焦時におけるズームレンズ全系の焦点距離、
である。
【００７０】
条件式（１８）の技術的意義は、条件式（５）と同じである。このため、重複する説明は、省略する。
【００７１】
また、本実施形態のズームレンズは、以下の条件式（１９）を満足することが好ましい。
０．４＜ΔＤ12／ｆT＜０．６      （１９）
ただし、
ΔＤ12＝Ｄ12W−Ｄ12Tであり、
Ｄ12Wは、広角端での光軸上無限遠合焦時における第１レンズ群と第２レンズ群との間の距離、
Ｄ12Tは、望遠端での光軸上無限遠合焦時における第１レンズ群と第２レンズ群との間の距離、
ｆTは、望遠端での無限遠合焦時におけるズームレンズ全系の焦点距離、
である。
【００７２】
条件式（１９）は、小型化のための第１、２レンズ群間隔変化の好ましい量を特定するものである。
条件式（１９）の下限値を下回らないようにすることで、例えば２．８倍以上の変倍比の確保を考えた場合、第１レンズ群と第２レンズ群の屈折力を抑えられ、第１レンズ群と第２レンズ群のレンズ枚数を抑えつつも変倍時の球面収差変化と像面湾曲変化を低減できる。また、ズームレンズが沈胴収納する場合の小型化にも寄与する。
条件式（１９）の上限値を上回らないようにすることで、ズームレンズの全長の短縮化に寄与する。
【００７３】
また、本実施形態のズームレンズは、以下の条件式（２０）を満足することが好ましい。
０．７３＜ＩＨ39w／ｆw＜０．７７      （２０）  
ただし、
ＩＨ39wは、広角端での光軸上無限遠合焦時におけるズームレンズの入射側半画角が３９°となる主光線と近軸像面とが交わる位置の光軸からの距離、
ｆwは、広角端での無限遠合焦時におけるズームレンズ全系の焦点距離、
である。
【００７４】
条件式（２０）の下限値を下回らないようにして、歪曲収差（ディストーション）を抑えている。
条件式（２０）の上限値を上回らないようにして、十分な画角を確保している。
【００７５】
また、本実施形態のズームレンズは、広角端にて、半画角が３３°以上の光線がズームレンズ中を通過可能であり、以下の条件式（２１）を満足することが好ましい。
２．６＜ｆt／ｆw＜７．０      （２１）
ただし、
ｆtは、望遠端での無限遠合焦時におけるズームレンズ全系の焦点距離、
ｆwは、広角端での無限遠合焦時におけるズームレンズ全系の焦点距離、
である。
【００７６】
条件式（２１）の下限値を下回らないように変倍比を確保することで、種々撮影シーンに応じて適した画角を選択可能としている。
条件式（２１）の上限値を上回らないようにすることで、ズームレンズの全長の小型化と光学性能の確保の両立に寄与する。
【００７７】
また、本発明のズームレンズは、第２レンズ群は、第２レンズ群中で最も物体側に配置された正屈折力の単レンズと、物体側から順に負レンズと正レンズからなる接合レンズからなり、開口絞りが第２レンズ群中の単レンズと接合レンズとの間に位置することが好ましい。
【００７８】
これにより、少ないレンズ枚数にて、第２レンズ群の屈折力の確保と収差補正機能を確保している。また、開口絞りを第２レンズ群の中心付近に配置でき、開口絞りに対するズームレンズの対称性の確保に寄与し、小型化と光学性能の確保にいっそう寄与している。
【００７９】
また、本実施形態の撮像装置は、上述の何れかのズームレンズと、撮像面をもち、且つズームレンズにより撮像面上に形成された像を電気信号に変換する撮像素子とを有することを特徴としている。
ズームレンズがフォーカシング機能をもつ場合、上述の各構成は無限遠に合焦した状態での構成とする。
【００８０】
上述の構成は相互に複数を同時に満足することがより好ましい。一部の構成を同時に満足するようにしてもよい。例えば上述のズームレンズや撮像装置の何れかにて上述のズームレンズの何れかを用いるようにしてもよい。それぞれの条件式を個別に満足させるようにしてもそれぞれの効果を得やすくなり好ましい。また、各条件式について、以下のように下限値、または上限値を変更することでその効果をいっそう確実にでき好ましい。   
【００８１】
条件式（１）について、
下限値を０．８５、更には０．９１とすることがより好ましい。   
上限値を１．１、更には１．０とすることがより好ましい。  
条件式（２）について、
下限値を−１７．０％、更には−１５．０％とすることがより好ましい。   
上限値を−８．０％、更には−１０．０％とすることがより好ましい。  
条件式（３）について、
下限値を０．４０、更には０．４５とすることがより好ましい。   
上限値を０．９５、更には０．８５とすることがより好ましい。  
条件式（４）について、
下限値を１．８、２．０、更には２．５とすることがより好ましい。   
上限値を３．５、更には３．２とすることがより好ましい。  
条件式（５）について、
下限値を０．８、更には０．８５とすることがより好ましい。   
上限値を１．４、更には１．２とすることがより好ましい。  
条件式（６）について、
下限値を１．２、更には１．４とすることがより好ましい。   
上限値を２．２、更には１．９とすることがより好ましい。  
条件式（７）について、
下限値を１．７、更には１．９とすることがより好ましい。   
上限値を３．３、更には２．８とすることがより好ましい。  
条件式（８）について、
下限値を−１．３、更には−１．２とすることがより好ましい。   
上限値を０、−０．１、更には−０．５とすることがより好ましい。  
条件式（９）について、
下限値を０．７とすることがより好ましい。   
上限値を１．０、更には０．９とすることがより好ましい。  
条件式（１０）について、
下限値を１．１、更には１．１５とすることがより好ましい。   
上限値を１．８、更には１．７とすることがより好ましい。  
条件式（１１）について、
下限値を１．５、更には１．６とすることがより好ましい。   
上限値を２．４５、２．４、更には２．３とすることがより好ましい。  
条件式（１２）について、
下限値を６５、更には６７とすることがより好ましい。   
上限値を８５、更には８２とすることがより好ましい。  
条件式（１３）について、
下限値を−０．５、更には−０．１とすることがより好ましい。   
上限値を１．３、更には１．２とすることがより好ましい。  
条件式（１４）について、
下限値を０．９、更には１．２とすることがより好ましい。   
上限値を１．６、更には１．４とすることがより好ましい。  
条件式（１５）について、
下限値を０．６、更には０．７とすることがより好ましい。   
上限値を１．１、更には１．０５とすることがより好ましい。  
条件式（１６）について、
下限値を０．５、更には０．５５とすることがより好ましい。   
上限値を０．７３とすることがより好ましい。  
条件式（１７）について、
下限値を３．５、更には４．１とすることがより好ましい。   
上限値を９、７、更には８とすることがより好ましい。  
条件式（１８）について、
下限値を０．９とすることがより好ましい。
上限値を１．６、１．５、更には１．４５とすることがより好ましい。
条件式（１９）について、
下限値を０．４、更には０．４３とすることがより好ましい。   
上限値を０．５８、更には０．５７とすることがより好ましい。  
条件式（２０）について、
下限値を０．７３５とすることがより好ましい。   
上限値を０．７５とすることがより好ましい。  
条件式（２１）について、
下限値を２．７、更には２．８とすることがより好ましい。   
上限値を５．０、更には４．０とすることがより好ましい。
【００８２】
ωw（広角端での無限遠物点合焦時における半画角）について、図１５を用いて説明する。図１５には、ズームレンズ、明るさ絞り及び撮像面が、光軸上に配置されている様子が示されている。ズームレンズに入射した光線は、明るさ絞りを通過したのち、ズームレンズから出射して撮像面に到達する。
【００８３】
図１５において、実線で示す光線Ｌは、明るさ絞りの中心を通過する光線のうち、有効撮像領域上の点Ｘに到達する光線を示している。この点Ｘは、有効撮像領域のなかで光軸から最も離れた位置である。ここで、有効撮像領域は物体像が形成されている領域であるため、点Ｘは最大像高位置になる。このように、光線Ｌは、明るさ絞り中心を通過して有効撮像領域の最大像高位置に入射する光線である。そして、ωwは、広角端における、光線Ｌの光軸に対する半画角である。
【００８４】
以下に、本発明に係る撮像装置に用いられるズームレンズの実施例を、図面に基づいて詳細に説明する。なお、この実施例によりこの発明が限定されるものではない。
【００８５】
以下、ズームレンズの実施例１〜７について説明する。実施例１〜５のレンズ断面図を、それぞれ図１〜図７に示す。図１〜図７中、（ａ）は、広角端におけるレンズ断面図、（ｂ）は、中間焦点距離状態におけるレンズ断面図、（ｃ）は、望遠端におけるレンズ断面図である。なお、（ａ）〜（ｃ）は、いずれも、無限遠物体合焦時のレンズ断面図である。
【００８６】
また、第１レンズ群はＧ１、第２レンズ群はＧ２、第３レンズ群はＧ３、第４レンズ群はＧ４、開口絞り（明るさ絞り）はＳ、フレア絞りはＳＦ、像面（撮像面）はＩで示してある。また、図示されていないが、第３レンズ群はＧ３と像面Ｉとの間に、ローパスフィルタを構成する平行平板や、電子撮像素子のカバーガラスが配置されていても良い。なお、平行平板の表面に、赤外光を制限する波長域制限コートを施しても良い。また、カバーガラスの表面に波長域制限用の多層膜を施してもよい。また、そのカバーガラスＣにローパスフィルタ作用を持たせるようにしてもよい。
【００８７】
また、実施例１〜７のズームレンズでは、像高は、広角端、中間焦点距離状態及び望遠端が同じとなっている。しかしながら、広角端での像高を小さくしてもよい。これは、広角端における像をたる型形状にして、たる型の画像を電気的に矩形の画像に変換することでディストーションを補正できるからである。なお、電気的なディストーション補正については、詳細を省略する。
【００８８】
実施例１のズームレンズは、図１に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。
【００８９】
第１レンズ群Ｇ１は、物体側に凸面を向けた負メニスカスレンズＬ１と、両凹負レンズＬ２と、物体側に凸面を向けた正メニスカスレンズＬ３と、で構成されている。
【００９０】
第２レンズ群Ｇ２は、両凸正レンズＬ４と、物体側に凸面を向けた負メニスカスレンズＬ５と、両凸正レンズＬ６と、で構成されている。ここで、負メニスカスレンズＬ５と両凸正レンズＬ６とが接合されている。
【００９１】
第３レンズ群Ｇ３は、両凹負レンズＬ７で構成されている。両凹負レンズＬ７には、シクロオレフィンポリマー（比重：１．０１ｇ／ｃｍ３）が用いられている。
【００９２】
第４レンズ群Ｇ４は、両凸正レンズＬ８で構成されている。
【００９３】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【００９４】
合焦時、第３レンズ群Ｇ３が、光軸に沿って移動する。
【００９５】
非球面は、両凹負レンズＬ２の両面と、正メニスカスレンズＬ３の両面と、両凸正レンズＬ４の両面と、両凸正レンズＬ６の像側面と、両凹負レンズＬ７の両面と、両凸正レンズＬ８の両面との、合計１１面に設けられている。
【００９６】
実施例２のズームレンズは、図２に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。
【００９７】
第１レンズ群Ｇ１は、物体側に凸面を向けた負メニスカスレンズＬ１と、両凹負レンズＬ２と、物体側に凸面を向けた正メニスカスレンズＬ３と、で構成されている。
【００９８】
第２レンズ群Ｇ２は、両凸正レンズＬ４と、物体側に凸面を向けた負メニスカスレンズＬ５と、両凸正レンズＬ６と、で構成されている。ここで、負メニスカスレンズＬ５と両凸正レンズＬ６とが接合されている。
【００９９】
第３レンズ群Ｇ３は、両凹負レンズＬ７で構成されている。両凹負レンズＬ７には、シクロオレフィンポリマー（比重：１．０１ｇ／ｃｍ３）が用いられている。
【０１００】
第４レンズ群Ｇ４は、像面側に凸面を向けた正メニスカスレンズＬ８で構成されている。
【０１０１】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１０２】
合焦時、第３レンズ群Ｇ３が、光軸に沿って移動する。
【０１０３】
非球面は、両凹負レンズＬ２の両面と、正メニスカスレンズＬ３の両面と、両凸正レンズＬ４の両面と、両凹負レンズＬ７の像側面と、両凸正レンズＬ８の両面との、合計９面に設けられている。
【０１０４】
実施例３のズームレンズは、図３に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。
【０１０５】
第１レンズ群Ｇ１は、物体側に凸面を向けた負メニスカスレンズＬ１と、物体側に凹面を向けた負メニスカスレンズＬ２と、物体側に凸面を向けた正メニスカスレンズＬ３と、で構成されている。
【０１０６】
第２レンズ群Ｇ２は、物体側に凸面を向けた正メニスカスレンズＬ４と、物体側に凸面を向けた負メニスカスレンズＬ５と、両凸正レンズＬ６と、物体側に凸面を向けた負メニスカスレンズＬ７で構成されている。ここで、負メニスカスレンズＬ５と両凸正レンズＬ６とが接合されている。
開口絞りＳは、第２レンズ群Ｇ２内に配置されている。
【０１０７】
第３レンズ群Ｇ３は、両凹負レンズＬ８で構成されている。両凹負レンズＬ８には、Ｍ-ＰＣＤ４（比重：３．５７ｇ／ｃｍ３）が用いられている。
【０１０８】
第４レンズ群Ｇ４は、像面側に凸面を向けた正メニスカスレンズＬ９で構成されている。
【０１０９】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１１０】
合焦時、第３レンズ群Ｇ３が、光軸に沿って移動する。
【０１１１】
非球面は、負メニスカスレンズＬ２の両面と、正メニスカスレンズＬ４の両面と、両凹負レンズＬ８の両面と、正メニスカスレンズＬ９の両面との、合計８面に設けられている。
【０１１２】
実施例４のズームレンズは、図４に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。
【０１１３】
第１レンズ群Ｇ１は、物体側に凸面を向けた負メニスカスレンズＬ１と、物体側に凹面を向けた負メニスカスレンズＬ２と、物体側に凸面を向けた正メニスカスレンズＬ３と、で構成されている。
【０１１４】
第２レンズ群Ｇ２は、両凸正レンズＬ４と、物体側に凸面を向けた負メニスカスレンズＬ５と、両凸正レンズＬ６と、で構成されている。ここで、負メニスカスレンズＬ５と両凸正レンズＬ６とが接合されている。
開口絞りＳは、第２レンズ群Ｇ２内に配置されている。
【０１１５】
フレア絞りＦＳは、第２レンズ群Ｇ２と第３レンズ群Ｇ３との間に配置されている。
【０１１６】
第３レンズ群Ｇ３は、両凸正レンズＬ７と、両凹負レンズＬ８で構成されている。両凸正レンズＬ７と両凹負レンズＬ８には、Ｓ-ＴＩＭ３、  Ｍ―ＴＡＣ８０（比重：２．６７ｇ／ｃｍ３、  ４．２８ｇ／ｃｍ３）が用いられている。
【０１１７】
第４レンズ群Ｇ４は、像面側に凸面を向けた正メニスカスレンズＬ９で構成されている。
【０１１８】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１１９】
合焦時、第３レンズ群Ｇ３が、光軸に沿って移動する。
【０１２０】
非球面は、負メニスカスレンズＬ２の両面と、両凸正レンズＬ４の両面と、両凸正レンズＬ７の像側面と、両凹負レンズＬ８の両面と、正メニスカスレンズＬ９の両面との、合計９面に設けられている。
【０１２１】
実施例５のズームレンズは、図５に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。
【０１２２】
第１レンズ群Ｇ１は、物体側に凸面を向けた負メニスカスレンズＬ１と、物体側に凹面を向けた負メニスカスレンズＬ２と、物体側に凸面を向けた正メニスカスレンズＬ３と、で構成されている。
【０１２３】
第２レンズ群Ｇ２は、物体側に凸面を向けた正メニスカスレンズＬ４と、物体側に凸面を向けた負メニスカスレンズＬ５と、物体側に凸面を向けた負メニスカスレンズＬ６と、両凸正レンズＬ７と、物体側に凸面を向けた負メニスカスレンズＬ８と、で構成されている。
ここで、正メニスカスレンズＬ４と負メニスカスレンズＬ５とが接合されている。また、負メニスカスレンズＬ６と、両凸正レンズＬ７とが接合されている。
開口絞りＳは、第２レンズ群Ｇ２内に配置されている。
【０１２４】
第３レンズ群Ｇ３は、物体側に凸面を向けた負メニスカスレンズＬ９で構成されている。両凸正レンズＬ７と両凹負レンズＬ８には、Ｍ―ＰＣＤ４（比重：３．５７ｇ／ｃｍ３）が用いられている。
【０１２５】
第４レンズ群Ｇ４は、像面側に凸面を向けた正メニスカスレンズＬ１０で構成されている。
【０１２６】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１２７】
合焦時、第３レンズ群Ｇ３が、光軸に沿って移動する。
【０１２８】
非球面は、負メニスカスレンズＬ２の両面と、正メニスカスレンズＬ３の両面と、負メニスカスレンズＬ９の両面と、正メニスカスレンズＬ９の両面と、正メニスカスレンズＬ１０の両面との合計８面に設けられている。
【０１２９】
実施例６のズームレンズは、図６に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。
【０１３０】
第１レンズ群Ｇ１は、両凹負レンズＬ１と、物体側に凹面を向けた負メニスカスレンズＬ２と、で構成されている。
【０１３１】
第２レンズ群Ｇ２は、両凸正レンズＬ３と、物体側に凸面を向けた負メニスカスレンズＬ４、両凸正レンズＬ５と、で構成されている。
ここで、負メニスカスレンズＬ４と両凸正レンズＬ５とが接合されている。
開口絞りＳは、第２レンズ群Ｇ２内に配置されている。
【０１３２】
第３レンズ群Ｇ３は、物体側に凸面を向けた負メニスカスレンズＬ６で構成されている。負メニスカスレンズＬ６には、Ｍ―ＴＡＦ３１（比重：４．８４ｇ／ｃｍ３）が用いられている。
【０１３３】
第４レンズ群Ｇ４は、像面側に凸面を向けた正メニスカスレンズＬ７で構成されている。
【０１３４】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１３５】
合焦時、第３レンズ群Ｇ３が、光軸に沿って移動する。
【０１３６】
非球面は、両凹負レンズＬ１の両面と、負メニスカスレンズＬ２の両面と、両凸正レンズＬ３の両面と、両凸正レンズＬ５の像側面と、負メニスカスレンズＬ６の両面と、正メニスカスレンズＬ７の両面との合計１１面に設けられている。
【０１３７】
実施例７のズームレンズは、図７に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。
【０１３８】
第１レンズ群Ｇ１は、物体側に凸面を向けた負メニスカスレンズＬ１と、両凹負レンズＬ２と、物体側に凹面を向けた正メニスカスレンズＬ３と、で構成されている。
【０１３９】
第２レンズ群Ｇ２は、両凸正レンズＬ４と、物体側に凸面を向けた負メニスカスレンズＬ５と、両凸正レンズＬ６と、で構成されている。
ここで、負メニスカスレンズＬ５と両凸正レンズＬ６とが接合されている。
開口絞りＳは、第２レンズ群Ｇ２内に配置されている。
【０１４０】
第３レンズ群Ｇ３は、物体側に凸面を向けた負メニスカスレンズＬ７で構成されている。負メニスカスレンズＬ７には、シクロオレフィンポリマー（比重：１．０１ｇ／ｃｍ３）が用いられている。
【０１４１】
第４レンズ群Ｇ４は、像面側に凸面を向けた正メニスカスレンズＬ８で構成されている。
【０１４２】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１４３】
合焦時、第３レンズ群Ｇ３が、光軸に沿って移動する。
【０１４４】
非球面は、両凹負レンズＬ２の両面と、両凸正レンズＬ４の両面と、両凸正レンズＬ６の像側面と、負メニスカスレンズＬ７の両面との合計７面に設けられている。
【０１４５】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、ｆは全系の焦点距離、ＦＮＯ．はＦナンバー、ωは半画角、ＩＨは像高、ＦＢはバックフォーカス、全長は、ズームレンズの最も物体側のレンズ面から最も像側のレンズ面までの距離（空気換算なし）、ｆ１、ｆ２…は各レンズ群の焦点距離である。なお、ＦＢ（バックフォーカス）は、レンズ最終面から近軸像面までの距離を空気換算して表したものである。また、広角は広角端、中間は中間焦点距離状態、望遠は望遠端を表している。
【０１４６】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０１４７】
数値実施例１
単位  ｍｍ
面データ
面番号             r            d            nd           νd
物面             ∞           ∞
1             32.952        0.800       1.83481       42.71
2             10.155        4.717
3*           -70.369        0.700       1.53071       55.69
4*            17.346        0.200
5*            16.108        2.280       1.63493       23.90
6*            94.815        可変  
7(絞り)         ∞          0.000
8*            11.597        2.704       1.72903       54.04
9*           -48.854        2.371
10             37.526        0.400       1.91082       35.25
11              7.500        3.800       1.49700       81.54
12*           -17.919        可変
13*           -28.586        0.655       1.53071       55.69
14*            15.539        可変  
15*           482.827        4.441       1.53071       55.69
16*           -19.757       14.397
像面             ∞
（撮像面）
絞り面    7
非球面データ 
第３面
k=0.0000   
A4=6.3095e-005,A6=-5.1630e-006,A8=8.5489e-008,A10=-5.2838e-010,
A12=8.2000e-013,A14=0.0000e+000,A16=0.0000e+000,A18=0.0000e+000,
A20=0.0000e+000
第４面
k=0.0000   
A4=-8.5006e-005,A6=2.3032e-006,A8=-8.0995e-008,A10=5.8944e-010,
A12=9.6444e-013,A14=0.0000e+000,A16=0.0000e+000,A18=0.0000e+000,
A20=0.0000e+000
第５面
k=0.0000   
A4=-1.6550e-004,A6=5.3129e-006,A8=-6.3757e-008,A10=5.8933e-011,
A12=1.7278e-013,A14=0.0000e+000,A16=0.0000e+000,A18=0.0000e+000,
A20=0.0000e+000 
第６面
k=0.0000   
A4=-8.5352e-005,A6=-1.2738e-006,A8=1.0586e-007,A10=-1.6152e-009,
A12=5.4327e-012,A14=0.0000e+000,A16=0.0000e+000,A18=0.0000e+000,
A20=0.0000e+000 
第８面
k=0.0000   
A4=-5.4003e-005,A6=-1.1160e-006,A8=4.8916e-008,A10=-1.2686e-009,
A12=0.0000e+000,A14=0.0000e+000,A16=0.0000e+000,A18=0.0000e+000,
A20=0.0000e+000  
第９面
k=0.0000   
A4=8.5204e-005,A6=-7.2046e-007,A8=2.3364e-008,A10=-9.2428e-010,
A12=0.0000e+000,A14=0.0000e+000,A16=0.0000e+000,A18=0.0000e+000,
A20=0.0000e+000 
第１２面
k=0.0000
A4=-3.9591e-005,A6=3.1189e-007,A8=-8.0865e-009,A10=-2.2218e-010,
A12=0.0000e+000,A14=0.0000e+000,A16=0.0000e+000,A18=0.0000e+000,
A20=0.0000e+000 
第１３面
k=0.0000
A4=1.4055e-003,A6=-6.9765e-005,A8=2.0005e-006,A10=-2.4498e-008,
A12=0.0000e+000,A14=0.0000e+000,A16=0.0000e+000,A18=0.0000e+000,
A20=0.0000e+000 
第１４面
k=0.0000
A4=1.5120e-003,A6=-6.6186e-005,A8=1.7698e-006,A10=-2.0638e-008,
A12=0.0000e+000,A14=0.0000e+000,A16=0.0000e+000,A18=0.0000e+000,
A20=0.0000e+000
第１５面
k=0.0000
A4=-1.0033e-005,A6=1.0004e-006,A8=-3.4917e-009,A10=-3.8383e-011,
A12=2.4084e-013,A14=0.0000e+000,A16=0.0000e+000,A18=0.0000e+000,
A20=0.0000e+000
第１６面
k=0.0000 
A4=9.4025e-006,A6=-1.9232e-007,A8=1.6315e-008,A10=-1.7709e-010,
A12=6.0101e-013,A14=0.0000e+000,A16=0.0000e+000,A18=0.0000e+000,
A20=0.0000e+000
ズームデータ
広角端          中間          望遠端
f  (mm)            12.240         22.450         41.180
ＦＮＯ．            3.631          4.559          5.743
2ω(画角)          91.2           52.1           29.7  
ＦＢ (mm)          14.397         14.397         14.396
ＩＨ               11.15          11.15          11.15
全長               53.186         48.509         53.186
d6                 21.610          8.889          1.550
d12                 2.077          6.221         13.400
d14                 6.431         10.331         15.168
群焦点距離
f1=-16     f2=14.1454     f3=-18.8711     f4=35.8735
【０１４８】
数値実施例２
単位  ｍｍ
面データ
面番号             r            d            nd           νd
物面             ∞           ∞
1             38.137        0.800       1.88300       40.76
2             10.297        4.648
3*          -598.623        0.700       1.49700       81.54
4*            18.149        0.200
5             20.632        2.125       1.84666       23.78
6             77.931        可変  
7(絞り)         ∞          0.000
8*            12.153        2.368       1.69350       53.18
9*           -53.853        1.749
10             16.081        0.700       2.00100       29.13
11             11.478        1.177
12             23.763        0.400       1.90366       31.32
13              9.500        3.221       1.49700       81.54
14*           -17.393        可変
15*           -24.713        0.600       1.53071       55.69
16*            21.274        可変  
17*          -251.001        3.300       1.76802       49.24
18*           -24.035       13.974
像面             ∞
（撮像面）
絞り面              7    
非球面データ 
第３面
k=0.0000
A4=-4.8576e-004,A6=1.7552e-005,A8=-3.6978e-007,A10=4.0188e-009,
A12=-1.7910e-011,A14=0.0000e+000,A16=0.0000e+000,A18=0.0000e+000,
A20=0.0000e+000
第４面
k=0.0000,
A4=-5.5517e-004,A6=1.8119e-005,A8=-3.9773e-007,A10=4.4257e-009,
A12=-2.0135e-011,A14=0.0000e+000,A16=0.0000e+000,A18=0.0000e+000,
A20=0.0000e+000
第８面
k=0.0000,
A4=-5.5324e-005,A6=-1.0806e-006,A8=6.2866e-008,A10=-1.3181e-009,
A12=0.0000e+000,A14=0.0000e+000,A16=0.0000e+000,A18=0.0000e+000,
A20=0.0000e+000
第９面
k=0.0000
A4=8.0278e-005,A6=-9.0607e-007,A8=5.3088e-008,A10=-1.2194e-009,
A12=0.0000e+000,A14=0.0000e+000,A16=0.0000e+000,A18=0.0000e+000,
A20=0.0000e+000, 
第１４面
k=0.0000
A4=-4.5593e-005,A6=7.2127e-007,A8=-3.1059e-008,A10=7.7622e-010,
A12=0.0000e+000,A14=0.0000e+000,A16=0.0000e+000,A18=0.0000e+000,
A20=0.0000e+000 
第１５面
k=0.0000 
A4=1.3073e-003,A6=-5.9677e-005,A8=1.7420e-006,A10=-2.2403e-008,
A12=0.0000e+000,A14=0.0000e+000,A16=0.0000e+000,A18=0.0000e+000,
A20=0.0000e+000
第１６面
k=0.0000 
A4=1.3701e-003,A6=-5.5301e-005,A8=1.5193e-006,A10=-1.8679e-008,
A12=0.0000e+000,A14=0.0000e+000,A16=0.0000e+000,A18=0.0000e+000,
A20=0.0000e+000 
第１７面
k=0.0000
A4=2.3484e-005,A6=-3.0325e-008,A8=4.1172e-009,A10=-3.9432e-011,
A12=1.2720e-013,A14=0.0000e+000,A16=0.0000e+000,A18=0.0000e+000,
A20=0.0000e+000
第１８面
k=0.0000   
A4=2.7567e-005,A6=-9.5799e-008,A8=3.1630e-009,A10=-2.4649e-011,
A12=7.7900e-014,A14=0.0000e+000,A16=0.0000e+000,A18=0.0000e+000,
A20=0.0000e+000
ズームデータ
広角端          中間          望遠端
f  (mm)            12.238         21.897         39.198
ＦＮＯ．            3.623          4.468          5.736
2ω(画角)          91.4           53.2           30.8  
ＦＢ (mm)          13.974         13.974         13.974
ＩＨ               11.15          11.15          11.15
全長               52.845         48.378         53.095
d6                 21.371          8.880          1.550
d14                 2.963          7.372         14.846
d16                 6.523         10.138         14.711
群焦点距離
f1=-16.9116     f2=15.0814     f3=-21.4447     f4=34.3913
【０１４９】
数値実施例３
単位  ｍｍ
面データ
面番号             r            d            nd           νd
物面             ∞           ∞
1             29.848        0.800       1.88300       40.80
2             11.140        5.015
3*          1984.401        1.000       1.62263       58.16
4*            16.340        0.700
5             21.277        2.585       1.84666       23.78
6             97.119        可変  
7*            13.066        2.415       1.82080       42.71
8*           156.306        1.285
9(絞り)         ∞          1.000
10             25.322        1.055       1.80000       29.84
11              7.246        3.754       1.49700       81.54
12            -21.771        0.250
13             66.440        1.000       1.49700       81.54
14             48.900        可変  
15*           505.239        1.000       1.61881       63.85
16*            13.517        可変  
17*          -157.716        3.653       1.72903       54.04
18*           -23.343       14.203
像面             ∞
（撮像面）
絞り面             9    
非球面データ
第３面  
k=0.0000
A4=-3.9379e-004,A6=1.0647e-005,A8=-1.6978e-007,A10=1.4500e-009,
A12=-5.1500e-012,A14=0.0000e+000,A16=0.0000e+000,A18=0.0000e+000,
A20=0.0000e+000
第４面
k=0.0000
A4=-4.5183e-004,A6=1.1467e-005,A8=-1.9507e-007,A10=1.7598e-009,
A12=-6.6344e-012,A14=0.0000e+000,A16=0.0000e+000,A18=0.0000e+000,
A20=0.0000e+000
第７面 
k=0.0000
A4=-4.2932e-006,A6=4.6954e-007,A8=-3.4902e-009,A10=3.0475e-011,
A12=0.0000e+000,A14=0.0000e+000,A16=0.0000e+000,A18=0.0000e+000,
A20=0.0000e+000
第８面  
k=0.0000
A4=6.1702e-005,A6=6.0143e-007,A8=-1.0191e-008,A10=8.6614e-011,
A12=0.0000e+000,A14=0.0000e+000,A16=0.0000e+000,A18=0.0000e+000,
A20=0.0000e+000
第１５面 
k=0.0000
A4=1.4476e-004,A6=-8.0102e-006,A8=3.2317e-007,A10=-4.3184e-009,
A12=0.0000e+000,A14=0.0000e+000,A16=0.0000e+000,A18=0.0000e+000,
A20=0.0000e+000
第１６面  
k=0.0000
A4=2.0586e-004,A6=-7.8912e-006,A8=2.3579e-007,A10=-2.1593e-009,
A12=0.0000e+000,A14=0.0000e+000,A16=0.0000e+000,A18=0.0000e+000,
A20=0.0000e+000
第１７面
k=0.0000
A4=-6.2356e-005,A6=8.0243e-007,A8=-2.9536e-009,A10=-2.1108e-012,
A12=0.0000e+000,A14=0.0000e+000,A16=0.0000e+000,A18=0.0000e+000,
A20=0.0000e+000
第１８面 
k=0.0000
A4=-5.2173e-005,A6=5.3860e-007,A8=-2.4108e-010,A10=-1.0254e-011,
A12=0.0000e+000,A14=0.0000e+000,A16=0.0000e+000,A18=0.0000e+000,
A20=0.0000e+000
ズームデータ
広角端          中間          望遠端
f  (mm)            12.240         24.441         48.804
ＦＮＯ．            3.570          4.670          6.411
2ω(画角)          91.4           48.4           25.0  
ＦＢ (mm)          14.203         14.202         14.203
ＩＨ               11.15          11.15          11.15
全長               58.907         55.151         62.208
d6                 24.200          9.114          0.400
d14                 1.346          5.556         14.391
d16                 7.849         14.969         21.905
群焦点距離
f1=-17.9851     f2=15.448     f3=-22.4611     f4=37.156
【０１５０】
数値実施例４
単位  ｍｍ
面データ
面番号             r            d            nd           νd
物面             ∞           ∞
1             28.574        0.800       1.88300       40.80
2             11.620        6.331
3*           336.342        1.000       1.67790       54.89
4*            20.395        0.700
5             29.660        2.425       1.92286       20.88
6            117.997        可変  
7*            13.389        3.142       1.80139       45.45
8*          -150.876        1.100
9(絞り)         ∞          1.000
10             41.539        0.800       1.85026       32.27
11              7.932        4.724       1.49700       81.54
12*           -21.295        0.000
13               ∞          可変  
14            179.666        1.024       1.61293       37.00
15           -111.032        0.929
16*           -42.967        1.000       1.72903       54.04
17*            16.268        可変  
18*          -647.715        3.744       1.72903       54.04
19*           -27.101       14.201
像面             ∞
（撮像面）
絞り面             9    
非球面データ 
第３面 
k=0.0000
A4=-3.6269e-004,A6=6.5776e-006,A8=-7.4120e-008,A10=4.5851e-010,
A12=-1.2126e-012,A14=0.0000e+000,A16=0.0000e+000,A18=0.0000e+000,
A20=0.0000e+000
第４面  
k=0.0000
A4=-4.1038e-004,A6=7.1160e-006,A8=-8.4794e-008,A10=5.4616e-010,
A12=-1.5066e-012,A14=0.0000e+000,A16=0.0000e+000,A18=0.0000e+000,
A20=0.0000e+000
第７面 
k=0.0000
A4=-1.9874e-005,A6=-1.1876e-007,A8=1.0444e-008,A10=-7.8229e-011,
A12=0.0000e+000,A14=0.0000e+000,A16=0.0000e+000,A18=0.0000e+000,
A20=0.0000e+000
第８面   
k=0.0000
A4=5.3496e-005,A6=4.5115e-008,A8=7.8811e-009,A10=-8.2069e-011,
A12=0.0000e+000,A14=0.0000e+000,A16=0.0000e+000,A18=0.0000e+000,
A20=0.0000e+000
第１２面  
k=0.0000
A4=-1.4845e-005,A6=-2.2847e-007,A8=0.0000e+000,A10=0.0000e+000,
A12=0.0000e+000,A14=0.0000e+000,A16=0.0000e+000,A18=0.0000e+000,
A20=0.0000e+000
第１６面  
k=0.0000
A4=4.8248e-004,A6=-2.1341e-005,A8=7.3065e-007,A10=-1.0038e-008,
A12=0.0000e+000,A14=0.0000e+000,A16=0.0000e+000,A18=0.0000e+000,
A20=0.0000e+000
第１７面   
k=0.0000
A4=5.4853e-004,A6=-2.0589e-005,A8=6.4057e-007,A10=-7.7778e-009,
A12=0.0000e+000,A14=0.0000e+000,A16=0.0000e+000,A18=0.0000e+000,
A20=0.0000e+000
第１８面  
k=0.0000
A4=-1.7591e-006,A6=2.6088e-007,A8=4.5581e-010,A10=-6.3037e-012,
A12=0.0000e+000,A14=0.0000e+000,A16=0.0000e+000,A18=0.0000e+000,
A20=0.0000e+000
第１９面 
k=0.0000
A4=7.3591e-007,A6=1.1835e-007,A8=1.8792e-009,A10=-1.0374e-011,
A12=0.0000e+000,A14=0.0000e+000,A16=0.0000e+000,A18=0.0000e+000,
A20=0.0000e+000
ズームデータ
広角端          中間          望遠端
f  (mm)            12.240         26.827         58.800
ＦＮＯ．            3.570          4.670          6.411
2ω(画角)          91.0           44.3           21.3  
ＦＢ (mm)          14.201         14.201         14.201
ＩＨ               11.15          11.15          11.15
全長               69.408         60.664         69.407
d6                 31.436         10.836          0.432
d13                 1.351          6.338         16.232
d17                 7.902         14.771         24.024
群焦点距離
f1=-18.7216     f2=16.3222     f3=-19.0771     f4=38.6992
【０１５１】
数値実施例５
単位 ｍｍ
面データ
面番号             r            d            nd           νd
物面             ∞           ∞
1             29.848        0.800       1.88300       40.80
2             11.140        5.015
3*          1984.401        1.000       1.62263       58.16
4*            16.340        0.700
5             21.277        2.585       1.84666       23.78
6             97.119        可変  
7*            13.066        2.415       1.82080       42.71
8            500.000        0.400       1.80518       25.42
9*           156.306        1.285
10(絞り)        ∞           1.000
11             25.322        1.055       1.80000       29.84
12              7.246        3.754       1.49700       81.54
13            -21.771        0.250
14             66.440        1.000       1.49700       81.54
15             48.900        可変  
16*           505.239        1.000       1.61881       63.85
17*            13.517        可変  
18*          -157.716        3.653       1.72903       54.04
19*           -23.343       11.15
像面             ∞
（撮像面）
絞り面             10    
非球面データ
第３面 
k=0.0000
A4=-3.9379e-004,A6=1.0647e-005,A8=-1.6978e-007,A10=1.4500e-009,
A12=-5.1500e-012,A14=0.0000e+000,A16=0.0000e+000,A18=0.0000e+000,
A20=0.0000e+000
第４面
k=0.0000
A4=-4.5183e-004,A6=1.1467e-005,A8=-1.9507e-007,A10=1.7598e-009,
A12=-6.6344e-012,A14=0.0000e+000,A16=0.0000e+000,A18=0.0000e+000,
A20=0.0000e+000
第７面 
k=0.0000
A4=-7.5000e-006,A6=4.4000e-007,A8=-3.4902e-009,A10=3.0475e-011,
A12=-1.0000e-013,A14=0.0000e+000,A16=0.0000e+000,A18=0.0000e+000,
A20=0.0000e+000
第９面
k=0.0000
A4=6.1702e-005,A6=6.0143e-007,A8=-1.0191e-008,A10=8.6614e-011,
A12=0.0000e+000,A14=0.0000e+000,A16=0.0000e+000,A18=0.0000e+000,
A20=0.0000e+000
第１６面 
k=0.0000
A4=1.4476e-004,A6=-8.0102e-006,A8=3.2317e-007,A10=-4.3184e-009,
A12=0.0000e+000,A14=0.0000e+000,A16=0.0000e+000,A18=0.0000e+000,
A20=0.0000e+000
第１７面   
k=0.0000
A4=2.0586e-004,A6=-7.8912e-006,A8=2.3579e-007,A10=-2.1593e-009,
A12=0.0000e+000,A14=0.0000e+000,A16=0.0000e+000,A18=0.0000e+000,
A20=0.0000e+000
第１８面  
k=0.0000
A4=-6.2356e-005,A6=8.0243e-007,A8=-2.9536e-009,A10=-2.1108e-012,
A12=0.0000e+000,A14=0.0000e+000,A16=0.0000e+000,A18=0.0000e+000,
A20=0.0000e+000
第１９面 
k=0.0000
A4=-5.2173e-005,A6=5.3860e-007,A8=-2.4108e-010,A10=-1.0254e-011,
A12=0.0000e+000,A14=0.0000e+000,A16=0.0000e+000,A18=0.0000e+000,
A20=0.0000e+000
ズームデータ
広角端          中間          望遠端
f  (mm)            12.192         24.461         48.993
ＦＮＯ．            3.519          4.634          6.392
2ω(画角)          91.3           48.3           24.9  
ＦＢ (mm)          13.535         13.535         13.535
ＩＨ               11.15          11.15          11.15
全長               59.307         55.551         62.609
d6                 24.200          9.114          0.400
d15                 1.426          5.556         14.326
d17                 7.769         14.969         21.971
群焦点距離
f1=-17.9851     f2=15.4541     f3=-22.4611     f4=37.156
【０１５２】
数値実施例６
単位  ｍｍ
面データ
面番号             r            d            nd           νd
物面             ∞           ∞
1*           -43.488        0.800       1.82080       42.71
2*            11.867        3.936
3*            37.343        2.186       1.92286       20.88
4*          1263.052        可変  
5*            11.230        2.998       1.60224       55.05
6*           -40.577        1.000
7(絞り)         ∞          2.210
8             26.346        0.400       1.80610       33.27
9              7.205        3.368       1.49700       81.54
10*           -43.916        可変
11*            28.133        0.500       1.80139       45.45
12*            10.777        可変  
13*           -51.856        4.094       1.72903       54.04
14*           -16.091       14.311
像面             ∞
（撮像面）
絞り面              7    
非球面データ 
第１面  
k=0.0000
A4=2.2661e-005,A6=-3.8964e-008,A8=4.7185e-010,A10=0.0000e+000,
A12=0.0000e+000,A14=0.0000e+000,A16=0.0000e+000,A18=0.0000e+000,
A20=0.0000e+000
第２面  
k=0.0000
A4=-7.5506e-005,A6=8.1074e-008,A8=0.0000e+000,A10=0.0000e+000,
A12=0.0000e+000,A14=0.0000e+000,A16=0.0000e+000,A18=0.0000e+000,
A20=0.0000e+000
第３面 
k=0.0000
A4=2.8136e-005,A6=5.8890e-007,A8=0.0000e+000,A10=0.0000e+000,
A12=0.0000e+000,A14=0.0000e+000,A16=0.0000e+000,A18=0.0000e+000,
A20=0.0000e+000
第４面  
k=0.0000
A4=1.4019e-005,A6=4.7514e-007,A8=0.0000e+000,A10=0.0000e+000,
A12=0.0000e+000,A14=0.0000e+000,A16=0.0000e+000,A18=0.0000e+000,
A20=0.0000e+000
第５面 
k=0.0000
A4=-6.2463e-005,A6=2.8943e-008,A8=-3.4348e-009,A10=0.0000e+000,
A12=0.0000e+000,A14=0.0000e+000,A16=0.0000e+000,A18=0.0000e+000,
A20=0.0000e+000
第６面  
k=0.0000
A4=7.5963e-005,A6=-1.5625e-007,A8=0.0000e+000,A10=0.0000e+000,
A12=0.0000e+000,A14=0.0000e+000,A16=0.0000e+000,A18=0.0000e+000,
A20=0.0000e+000
第１０面  
k=0.0000
A4=-2.9990e-005,A6=1.0192e-006,A8=0.0000e+000,A10=0.0000e+000,
A12=0.0000e+000,A14=0.0000e+000,A16=0.0000e+000,A18=0.0000e+000,
A20=0.0000e+000
第１１面 
k=0.0000
A4=-8.0000e-005,A6=0.0000e+000,A8=0.0000e+000,A10=0.0000e+000,
A12=0.0000e+000,A14=0.0000e+000,A16=0.0000e+000,A18=0.0000e+000,
A20=0.0000e+000
第１２面   
k=0.0000
A4=-3.0829e-005,A6=-1.3812e-006,A8=0.0000e+000,A10=0.0000e+000,
A12=0.0000e+000,A14=0.0000e+000,A16=0.0000e+000,A18=0.0000e+000,
A20=0.0000e+000
第１３面  
k=0.0000
A4=6.2013e-005,A6=1.4500e-008,A8=0.0000e+000,A10=0.0000e+000,
A12=0.0000e+000,A14=0.0000e+000,A16=0.0000e+000,A18=0.0000e+000,
A20=0.0000e+000
第１４面   
k=0.0000
A4=7.6527e-005,A6=4.1021e-008,A8=6.2359e-010,A10=0.0000e+000,
A12=0.0000e+000,A14=0.0000e+000,A16=0.0000e+000,A18=0.0000e+000,
A20=0.0000e+000
ズームデータ
広角端          中間          望遠端
f  (mm)            12.240         21.899         39.200
ＦＮＯ．            3.596          4.202          5.642
2ω(画角)          91.9           51.3           30.0  
ＦＢ (mm)          14.311         14.311         14.311
ＩＨ               11.15          11.15          11.15
全長               51.405         46.288         52.423
d4                 21.113          8.132          0.981
d10                 1.672          6.263         13.071
d12                 7.128         10.401         16.879
群焦点距離
f1=-17.8212     f2=15.2892     f3=-22.0803     f4=30.5296
【０１５３】
数値実施例７
単位  ｍｍ
面データ
面番号             r            d            nd           νd
物面             ∞           ∞
1             42.388        0.800       1.91082       35.25
2             10.866        4.919
3*           -35.740        0.700       1.53071       55.69
4*            42.181        4.919
5             26.184        2.261       1.92286       20.88
6            246.622        可変  
7*            10.848        2.697       1.80610       40.88
8*          -165.898        1.098
9(絞り)         ∞          1.000
10             30.704        0.500       1.91082       29.81
11              6.223        3.804       1.49700       81.54
12*           -19.508        可変
13*          1027.929        0.600       1.53071       55.69
14*            11.297        可変  
15           -331.164        3.110       1.78800       47.37
16            -27.421       14.453
像面             ∞
（撮像面）
絞り面              9    
非球面データ 
第３面  
k=-5.7140
A4=8.7980e-005,A6=-1.0196e-006,A8=2.4374e-009,A10=-2.2659e-011,
A12=0.0000e+000,A14=0.0000e+000,A16=0.0000e+000,A18=0.0000e+000,
A20=0.0000e+000
第４面   
k=-27.3562
A4=1.0193e-004,A6=-1.3941e-006,A8=0.0000e+000,A10=0.0000e+000,
A12=0.0000e+000,A14=0.0000e+000,A16=0.0000e+000,A18=0.0000e+000,
A20=0.0000e+000
第７面  
k=-0.5503
A4=4.8646e-006,A6=-2.0238e-009,A8=2.8694e-009,A10=-5.9963e-011,
A12=0.0000e+000,A14=0.0000e+000,A16=0.0000e+000,A18=0.0000e+000,
A20=0.0000e+000
第８面   
k=-999.0108
A4=3.8182e-005,A6=0.0000e+000,A8=0.0000e+000,A10=0.0000e+000,
A12=0.0000e+000,A14=0.0000e+000,A16=0.0000e+000,A18=0.0000e+000,
A20=0.0000e+000
第１２面   
k=10.3337
A4=1.1452e-004,A6=2.8014e-006,A8=-6.9732e-008,A10=2.8700e-009,
A12=0.0000e+000,A14=0.0000e+000,A16=0.0000e+000,A18=0.0000e+000,
A20=0.0000e+000
第１３面  
k=0.0000
A4=-2.9811e-005,A6=-5.3136e-007,A8=0.0000e+000,A10=0.0000e+000,
A12=0.0000e+000,A14=0.0000e+000,A16=0.0000e+000,A18=0.0000e+000,
A20=0.0000e+000
第１４面  
k=2.2896
A4=-2.0726e-004,A6=-5.0181e-006,A8=-8.7995e-008,A10=-3.2799e-009,
A12=1.8965e-010,A14=0.0000e+000,A16=0.0000e+000,A18=0.0000e+000,
A20=0.0000e+000
ズームデータ
広角端          中間          望遠端
f  (mm)            12.212         21.875         39.172
ＦＮＯ．            3.597          4.398          5.743
2ω(画角)          92.4           54.1           30.9  
ＦＢ (mm)          14.453         14.454         14.453
ＩＨ               11.15          11.15          11.15
全長               58.605         52.908         56.039
d6                 22.857          9.059          0.772
d12                 0.943          4.247         10.024
d14                 8.397         13.194         18.835
群焦点距離
f1=-18.4309     f2=14.7045     f3=-21.5284     f4=37.7686
【０１５４】
以上の実施例１〜７の収差図を、それぞれ図８〜図１４に示す。いずれも、無限遠物体合焦時の収差図である。また、各図中、”ＦＩＹ”は最大像高を示す。
【０１５５】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０１５６】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示す。
【０１５７】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０１５８】
次に、各実施例における条件式（１）〜（２１）の値を表１に掲げる。なお、比重は第３レンズ群の負レンズにおける値である。また、ハイフン（−）は、値を算出するための構成が存在しないことを示している。また、材料名の「ＣＯＰ」はシクロオレフィンポリマーである。
【０１５９】
条件式（１）  ＩＨMAX／ｆw
条件式（２）  ＤＴw
条件式（３）  ｜ｆ3／ＥＲS｜
条件式（４）  ｆUN21／ＥＲS
条件式（５）  ｆUN21／ｆ2
条件式（６）  ｜ｆ3／ｆw｜
条件式（７）  ｜ｆ3／ＩＨ39w｜
条件式（８）  ＳＦUN21
条件式（９）  Σ2G／ｆw
条件式（１０）  ｜ｆ3／ｆ2｜
条件式（１１）  ｜ｆ3／ＩＨMAX｜
負レンズ比重  （ｇ／ｃｍ３）
条件式（１２）  νp1
条件式（１３）  ＳＦ2N
条件式（１４）  ｆｂw／ＩＨMAX
条件式（１５）  ｆ1／ｆ3
条件式（１６）  Σ2G／ｆ2
条件式（１７）  ＬＴＬw／ｆｂw
条件式（１８）  ｆUN21／ｆw
条件式（１９）  ΔＤ12／ｆT
条件式（２０）  ＩＨ39w／ｆw
条件式（２１）  ｆt／ｆw
（表１）
条件式   実施例１  実施例２  実施例３   実施例４   実施例５  実施例６  実施例７
（１）     0.91     0.91      0.91       0.91        0.91      0.91     0.91 
（２）   -10.78   -11.02    -11.09     -10.47      -10.61    -11.81   -12.41
（３）     0.722    0.605     0.849      0.595       0.849     0.53     0.59
（４）     2.435    2.845     3.148      2.27        3.14      2.93     2.57
（５）     0.93     0.96      1.12       0.95        1.11      0.98     0.86
（６）     1.54     1.75      1.84       1.56        1.84      1.80     1.76
（７）     2.071    2.354     2.476      2.098       2.477     2.409    2.392
（８）    -0.62    -0.63     -1.18      -0.84       -1.18     -0.57    -0.88
（９）     0.76     0.79      0.88       0.88        0.92      0.82     0.75
（１０）   1.33     1.42      1.45       1.17        1.45      1.44     1.46
（１１）   1.69     1.92      2.01       1.71        2.01      1.98     1.93
第３レンズ群
負レンズ比重
（g／cm3） 1.01     1.01      3.57    2.67/4.28      3.57      4.84     1.01
材料名     COP      COP      M-PCD4 S-TIM3/M-TAC80  M-PCD4   M-TAF31    COP 
（１２）  81.54    81.54     81.54      81.54       81.54     81.54    81.54
（１３）   0.6      0.94      1.02       1.13        1.02       --     -0.08
（１４）   1.29     1.25      1.27       1.27        1.21      1.28     1.3
（１５）   0.85     0.79      0.8        0.98        0.8       0.81     0.86
（１６）   0.66     0.64      0.7        0.66        0.72      0.65     0.62
（１７）   4.69     4.78      5.15       5.89        5.38      4.59     4.75
（１８）   1.07     1.19      1.41       1.26        1.41      1.22     1.04
（１９）   0.49     0.51      0.49       0.53        0.49      0.51     0.56
（２０）   0.744    0.744     0.741      0.743       0.744     0.749    0.737
（２１）   3.364    3.203     3.987      4.804       4.018     3.203    3.208
なお、Ｍ-ＰＣＤ４はＨＯＹＡ社製品、Ｓ-ＴＩＭ３はオハラ社製品、Ｍ-ＴＡＣ８０はＨＯＹＡ社製品、Ｍ―ＴＡＦ３１はＨＯＹＡ社製品、シクロオレフィンポリマーは日本ゼオン社製品である。
【０１６０】
図１６は、電子撮像装置としてのレンズ交換式カメラ、例えば、ミラーレス一眼カメラの断面図である。ミラーレス一眼カメラは、クイックリターンミラーをもたないタイプのカメラである。図１６において、ミラーレス一眼カメラ１の鏡筒内には撮影光学系２が配置される。マウント部３は、撮影光学系２をミラーレス一眼カメラ１のボディに着脱可能とする。マウント部３としては、スクリュータイプのマウントやバヨネットタイプのマウント等が用いられる。この例では、バヨネットタイプのマウントを用いている。また、ミラーレス一眼カメラ１のボディには、撮像素子面４、バックモニタ５が配置されている。なお、撮像素子としては、小型のＣＣＤ又はＣＭＯＳ等が用いられている。
【０１６１】
そして、ミラーレス一眼カメラ１の撮影光学系２として、例えば、上記実施例１〜５に示したズームレンズが用いられる。
【０１６２】
図１７、図１８は、本実施例のズームレンズを備えた撮像装置の構成の概念図を示す。図１７は撮像装置としてのミラーレス一眼カメラ４０の外観を示す前方斜視図、図１８は同後方斜視図である。このミラーレス一眼カメラ４０の撮影光学系４１に、本実施例のズームレンズが用いられている。
【０１６３】
この実施形態のミラーレス一眼カメラ４０は、撮影用光路４２上に位置する撮影光学系４１、シャッターボタン４５、液晶表示モニター４７等を含み、ミラーレス一眼カメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０１６４】
図１９は、ミラーレス一眼カメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１６５】
図１９に示すように、ミラーレス一眼カメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１６６】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１６７】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、ミラーレス一眼カメラ４０全体を制御する。
【０１６８】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０１６９】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１７０】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１７１】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１７２】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１７３】
このように構成されたミラーレス一眼カメラ４０は、諸収差の良好な補正と小型化が両立されたズームレンズを備えた撮像装置とすることが可能となる。なお、本発明のズームレンズは、光学系が撮像装置の本体に固定されているタイプの撮像装置にも用いることができる。
【産業上の利用可能性】
【０１７４】
以上のように、本発明は、諸収差の良好な補正と光学系の小型化とが両立されたズームレンズ及びそれを有する撮像装置に適している。
【符号の説明】
【０１７５】
Ｇ１…第１レンズ群
Ｇ２…第２レンズ群
Ｇ３…第３レンズ群
Ｇ４…第４レンズ群
Ｓ…明るさ（開口）絞り
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…一眼ミラーレスカメラ
４１…撮影光学系
４２…撮影用光路
４５…シャッターボタン
４７…液晶表示モニター
４９…ＣＣＤ
【図１】
2015004880.tif 000003
【図２】
2015004880.tif 000004
【図３】
2015004880.tif 000005
【図４】
2015004880.tif 000006
【図５】
2015004880.tif 000007
【図６】
2015004880.tif 000008
【図７】
2015004880.tif 000009
【図８】
2015004880.tif 000010
【図９】
2015004880.tif 000011
【図１０】
2015004880.tif 000012
【図１１】
2015004880.tif 000013
【図１２】
2015004880.tif 000014
【図１３】
2015004880.tif 000015
【図１４】
2015004880.tif 000016
【図１５】
2015004880.tif 000017
【図１６】
2015004880.tif 000018
【図１７】
2015004880.tif 000019
【図１８】
2015004880.tif 000020
【図１９】
2015004880.tif 000021